(57)【要約】【課題】ジョブプログラムを登録する際に、不慣れな利用者であっても登録するジョブプログラムの判断と適正な選択を容易に行うことができるようにする。【解決手段】ユーザは、それまでの操作による各種の設定をジョブプログラムとして登録する際に、プレビュー表示キーを操作すると、画像データのプレビュー画像とともに、ジョブプログラムの設定内容に基づく処理を施した仕上がり状態を示す情報をプレビュー表示させることができる。図の例では、プレビュー画像４２１には、画像データ４２２が表示され、これとともにステープル設定情報４２３と、パンチ設定情報４２４とが表示されている。【選択図】図２４
2010118763.tif 000002
【特許請求の範囲】
【請求項１】
表示部と、画像データを入力する画像入力部と、該画像入力部に入力した画像データの処理内容を設定するための操作入力部と、該操作入力部に入力された前記設定内容をジョブプログラムとして登録する制御部と、前記画像データのプレビュー画像を前記表示部にプレビュー表示する表示制御部とを有し、登録したジョブプログラムを呼び出すことで、該ジョブプログラムの設定内容に基づく処理を実行できるようにした画像処理装置であって、
前記表示制御部は、前記操作入力部に対する操作入力にしたがってジョブプログラムを登録する際に、前記画像データのプレビュー画像とともに前記画像データの出力に対して設定した内容に基づく処理を施した仕上がり状態を示す情報を前記表示部にプレビュー表示可能としたことを特徴とする画像処理装置。
【請求項２】
請求項１に記載の画像処理装置において、前記仕上がり状態を示す情報は、前記設定内容を文字及び／またはアイコンで表示することを特徴とする画像処理装置。
【請求項３】
請求項２に記載の画像処理装置において、前記制御部は、前記文字またはアイコンを選択する操作入力が前記操作入力部に対して行われたときに、選択された文字またはアイコンに対応する機能の設定画面に移行することを特徴とする画像形成装置。
【請求項４】
画像処理装置に画像データを入力する画像入力ステップと、
前記画像処理装置に入力した画像データの処理内容を、該画像処理装置に対する操作入力に従って設定する設定ステップと、
前記画像処理装置の制御部が、該操作ステップで設定された設定内容をジョブプログラムとして記憶手段に記憶させて登録する登録ステップと、
前記制御部が、前記登録したジョブプログラムを呼び出すことで、該ジョブプログラムの設定内容に基づく処理を実行する画像処理方法であって、
前記制御部は、前記ジョブプログラムを登録する際に、プレビュー画像とともに前記画像データの出力に対して設定した内容に基づく処理を施した仕上がり状態を示す情報を前記画像処理装置の表示部に表示可能としたことを特徴とする画像処理方法。
【発明の詳細な説明】
【技術分野】
【０００１】
本発明は、画像処理装置及び画像処理方法に関し、より詳細には、装置の設定を予め登録し、これを適宜呼び出して使用できるようにしたジョブプログラム機能を有する画像処理装置及び画像処理方法に関する。
【背景技術】
【０００２】
従来から、コピー、プリンタ、スキャナ、ファクシミリ、インターネット通信などの複合的な機能を持つ複合機などの画像処理装置において、印刷や送信等の出力対象となった画像データを処理の実行前にプレビュー表示する機能が備わっているものがある。
また、このような画像処理装置ではジョブプログラム機能が広く用いられている。ジョブプログラムとは、画像処理装置の各種の設定を予め登録しておき、その設定を使いたいときにジョブプログラムを呼び出して使用することができるようにした機能である。この機能を用いて、ユーザがよく使用する設定を登録しておくことにより、画像処理装置を使用するたびに複雑な機能設定や手間のかかる設定を行う必要がなく、簡単な操作で所定の設定による動作を実行させることができる。
【０００３】
このような設定内容の登録技術に関し、例えば、特許文献１に開示された画像形成装置は、画像情報を得るスキャナ部と、画像情報を一時的に記憶するページメモリと、記憶されている複数の複写の設定情報の組み合わせを読み出して表示し、所望とするものを選択設定するよう制御する基本部と有している。
この画像形成装置は、機能設定する前に予め登録された設定内容を一覧表示させ、装置に設定するようにしている。例えば、特許文献１の図５に示すように、モードメモリのメモリ番号表示画面２０２から利用者がメモリ１を選択することにより、モードメモリ設定一覧画面２０３に移行し、メモリ１に記憶された設定アイコンが表示され、利用者によってアイコンが選択されると、メモリから読み出された内容が画像形成装置に設定される。
【特許文献１】特開平１１−３１１９２３号公報
【発明の開示】
【発明が解決しようとする課題】
【０００４】
従来からジョブプログラムは複雑な機能を登録することにより２回目以降の登録の手間を省くために有効な機能であり、設定に手間のかかる設定内容をジョブプログラムとして登録することで広く用いられている。しかし、設定に手間のかかるジョブプログラムを最初に登録する際には、それらの設定条件を入力した後に印刷を行って、設定した条件が正しいのか、誤っているのかを判定し、もしコピーを取って最初に設定した印刷条件が間違っていれば、その設定を変更して、またコピーを取ってその設定が正しいか確認する必要があった。
【０００５】
特に、コピー機はモノクロからカラー機となりさらに複合機となることによって、コピー、プリント、ファイリング、スキャナ、ファックスなど多様な動作が可能となった反面、これらの機能をジョブプログラムとして登録する作業も複雑な作業となっている。
また、上記の特許文献１に記載の技術では、ユーザによって登録された機能アイコンが表示されるだけであって、通常の機能設定と何ら変わりなく、利用者にとっては表示されたアイコンの機能を判別することが困難であった。
従って、ジョブプログラムの登録時に容易にジョブプログラムの設定を確認できる方法が望まれている。  
【０００６】
本発明は上記の問題点を解決するために、ジョブプログラムを登録する際に、画像データのプレビュー画像とともに、ジョブプログラムの設定内容に基づく処理を施した仕上がり状態を示す情報をプレビュー表示させることにより、ユーザが感覚的に仕上がり状態を認識でき、不慣れな利用者であっても登録するジョブプログラムの判断を適正かつ容易に行うことができるようにした画像処理装置及び画像処理方法を提供することを目的とするものである。
【課題を解決するための手段】
【０００７】
上記課題を解決するために、本発明の第１の技術手段は、表示部と、画像データを入力する画像入力部と、該画像入力部に入力した画像データの処理内容を設定するための操作入力部と、該操作入力部に入力された前記設定内容をジョブプログラムとして登録する制御部と、前記画像データのプレビュー画像を前記表示部にプレビュー表示する表示制御部とを有し、登録したジョブプログラムを呼び出すことで、該ジョブプログラムの設定内容に基づく処理を実行できるようにした画像処理装置であって、前記表示制御部は、前記操作入力部に対する操作入力にしたがってジョブプログラムを登録する際に、前記画像データのプレビュー画像とともに前記画像データの出力に対して設定した内容に基づく処理を施した仕上がり状態を示す情報を前記表示部にプレビュー表示可能としたことを特徴としたものである。
【０００８】
第２の技術手段は、第１の技術手段において、前記仕上がり状態を示す情報は、前記設定内容を文字及び／またはアイコンで表示することを特徴としたものである。
【０００９】
第３の技術手段は、第２の技術手段において、前記制御部は、前記文字またはアイコンを選択する操作入力が前記操作入力部に対して行われたときに、選択された文字またはアイコンに対応する機能の設定画面に移行することを特徴としたものである。
【００１０】
第４の技術手段は、画像処理装置に画像データを入力する画像入力ステップと、前記画像処理装置に入力した画像データの処理内容を、該画像処理装置に対する操作入力に従って設定する設定ステップと、前記画像処理装置の制御部が、該操作ステップで設定された設定内容をジョブプログラムとして記憶手段に記憶させて登録する登録ステップと、前記制御部が、前記登録したジョブプログラムを呼び出すことで、該ジョブプログラムの設定内容に基づく処理を実行する画像処理方法であって、前記制御部は、前記ジョブプログラムを登録する際に、プレビュー画像とともに前記画像データの出力に対して設定した内容に基づく処理を施した仕上がり状態を示す情報を前記画像処理装置の表示部に表示可能としたことを特徴としたものである。
【発明の効果】
【００１１】
本発明によれば、ジョブプログラムを登録する際に、画像データのプレビュー画像とともにジョブプログラムの設定内容に基づく処理を施した仕上がり状態を示す情報を表示させることにより、ユーザが感覚的に仕上がり状態を認識でき、不慣れな利用者であってもジョブプログラムの判断と適正な選択を容易に行うことができるようにした画像処理装置及び画像処理方法を提供することができる。
【発明を実施するための最良の形態】
【００１２】
＜本発明を適用可能なデジタル複合機の全体構成例の説明＞
図１は、本発明の画像処理装置を適用可能な装置の一例を示す図で、インナーフィニッシャーを有するデジタル複合機の構成を示す図である。
図１のデジタル複合機１は、後処理装置３００と、２つの給紙装置４００，５００とが付設されて構成されている。また、図１には示していないが、デジタル複合機１には、ＣＣＤ（Charge Coupled Device）を利用したスキャナで、原稿を所定の解像度のＲＧＢ（Ｒ：赤、Ｇ：緑、Ｂ：青）のビットマップ画像として読み取るための読み取り部を備えた画像データの入力装置が付設されている。
【００１３】
デジタル複合機１は、ネットワーク等を介して入力された画像情報に基づいて電子写真方式による多色及び単色の画像形成を選択的に行い、形成した画像を用紙に記録するものである。デジタル複合機１は、画像形成部１０６、用紙収容部１０７及び用紙搬送部１０８を備えている。
画像形成部１０６は、露光ユニット１１０、中間転写ベルト１１１、二次転写ローラ１１４を備え、中間転写ベルト１１１と露光ユニット１１０との間に、画像形成ステーション１１２Ａ〜１１２Ｄを一列に配置して構成されている。
【００１４】
画像形成ステーション１１２Ａ〜１１２Ｄのそれぞれは、カラー画像を色分解して得られる減法混色の３原色であるシアン、マゼンタ、イエローにブラックを加えた計４色の各色相の画像情報に基づいて画像形成を行う。
ブラックの画像形成ステーション１１２Ａは、感光体ドラム１０１Ａ、現像ユニット１０２Ａ、帯電ローラ１０３、一次転写ローラ１０４及びクリーニングユニット１０５等を備えている。
【００１５】
帯電ローラ１０３は、感光体ドラム１０１Ａの表面を所定の電位に均一に帯電させる接触方式の帯電器である。帯電ローラ１０３に代えて、帯電ブラシを用いた接触方式の帯電器、または帯電チャージャを用いた被接触方式の帯電器を用いることもできる。露光ユニット１１０は、半導体レーザ等の光源、ポリゴンミラー及び反射ミラー等を備えている。感光体ドラム１０１Ａには、露光ユニット１１０からブラックの画像情報に基づく画像光が照射され、ブラックの色相の画像情報に応じた静電潜像が形成される。
【００１６】
現像ユニット１０２Ａは、静電潜像が形成された感光体ドラム１０１Ａの表面にブラックのトナーを供給し、静電潜像をトナー像に現像する。クリーニングユニット１０５は、感光体ドラム１０１Ａの表面に残留したトナーを回収する。
中間転写ベルト１１１は、ループ状の移動経路を形成している。中間転写ベルト１１１は下側の移動経路において感光体ドラム１０１Ａと一次転写ローラ１０４との間を通過する。一次転写ローラ１０４には、トナーの帯電極性と逆極性の一次転写バイアスが定電圧制御によって印加され、感光体ドラム１０１Ａに形成されたトナー像は中間転写ベルト１１１の外周面に転写される。
【００１７】
シアン、マゼンタ及びイエローの各色相の画像形成ステーション１１２Ｂ，１１２Ｃ，１１２Ｄのそれぞれは、画像形成ステーション１１２Ａと同様に構成されている。ただし、画像形成ステーション１１２Ｂ，１１２Ｃ，１１２Ｄのそれぞれには、シアン、マゼンタ及びイエローの各色相の画像情報によって変調された画像光が露光ユニット１１０から照射される。また、現像ユニット１０２Ｂ，１０２Ｃ，１０２Ｄのそれぞれは、シアン、マゼンタ及びイエローの各色相のトナーを感光体ドラム１０１Ｂ，１０１Ｃ，１０１Ｄに供給する。これによって、感光体ドラム１０１Ｂ，１０１Ｃ，１０１Ｄのそれぞれには、シアン、マゼンタ及びイエローの各色相のトナー像が形成される。
【００１８】
イエロー、マゼンタ、シアン及びブラックの色相の一部のみの画像情報が入力された場合には、４つの画像形成ステーションのうち、入力された画像情報の色相に対応する一部のみにおいて静電潜像の形成及びトナー像の形成が行われる。例えば、モノクロ画像形成時には、ブラックの画像形成ステーション１１２Ａのみにおいて静電潜像の形成及びトナー像の形成が行われ、中間転写ベルト１１１の外周面にはブラックの現像剤像のみが転写される。
【００１９】
フルカラー画像形成時には、４つの画像形成ステーション１１２Ａ，１１２Ｂ，１１２Ｃ，１１２Ｄの全てにおいて静電潜像の形成及びトナー像の形成が行われる。中間転写ベルト１１１の外周面にはイエロー、マゼンタ、シアン及びブラックのトナー像が順次重ね合わされて転写される。中間転写ベルト１１１の外周面に転写されたトナー像は、中間転写ベルト１１１の回転によって、二次転写ローラ１１４との対向位置に搬送される。二次転写ローラ１１４は、中間転写ベルト１１１の外周面に所定のニップ圧で圧接している。中間転写ベルト１１１と二次転写ローラ１１４との対向する位置が、用紙（被画像形成媒体）に対する画像形成が行われる画像形成位置１３０である。
【００２０】
用紙収容部１０７は、それぞれに単一種類の複数枚の用紙が収納される給紙カセット１１６Ａ，１１６Ｂ及び手差しトレイ１１７を備えている。また、デジタル複合機１には、外部の用紙収容部として、給紙装置４００，５００がオプションで備えられている。
給紙装置４００は、デジタル複合機１の下方に配置され、内部に給紙カセット１１６Ｃ，１１６Ｄを備えている。給紙装置５００は、デジタル複合機１の側面に配置され、単一種類の複数枚の用紙を大量に収納する大容量給紙カセット１１６Ｆを備えている。
【００２１】
用紙搬送部１０８には、給紙カセット１１６Ａ，１１６Ｂから画像形成位置１３０を経由してデジタル複合機１の上面に設置された後処理装置３００に至る第１用紙搬送路１３１が形成されている。この第１用紙搬送路１３１には、ピックアップローラ１２１Ａ，１２１Ｂ、給紙ローラ１２２Ａ，１２２Ｂ、レジストローラ１３２、定着ユニット１３３、第４搬送ローラ、第１排紙ローラ１３４等が配置されている。
また、用紙搬送部１０８には、手差しトレイ１１７を第１用紙搬送路１３１の用紙搬送方向におけるレジストローラ１３２の上流側に連絡する第２用紙搬送路１３５が形成されている。
【００２２】
さらに、用紙搬送部１０８には、第１用紙搬送路１３１の定着ユニット１３３と第１排紙ローラとの間を、第１用紙搬送路１３１の用紙搬送方向におけるレジストローラ１３２の上流側に連絡する第３用紙搬送路１３６（両面搬送路）が形成されている。第３用紙搬送路１３６は、用紙の両面に画像を形成する両面画像形成時に、第１排紙ローラの反転によってスイッチバック搬送される片面画像形成済の用紙が搬送されるものである。
その他、用紙搬送部１０８には、給紙装置５００を第１用紙搬送路１３１に連絡する第５用紙搬送路１３７も形成されている。給紙装置４００にある給紙カセット１１６Ｃ，１１６Ｄは、給紙装置４００内部に設けられた第６用紙搬送路１３８を介して第１用紙搬送路１３１に連絡される。
【００２３】
用紙収容部１０７及び給紙装置４００，５００から供給された用紙は、第１用紙搬送路１３１を搬送され、画像形成位置１３０を通過する際に、中間転写ベルト１１１からのトナー像の転写を受ける。また、両面画像形成時は、トナー像が転写された用紙が第１排紙ローラの反転によってスイッチバック搬送され、第３用紙搬送路１３６を経由して再び第１用紙搬送路１３１に搬送される。そして、画像形成位置１３０を通過する際に、もう一方の面に中間転写ベルト１１１からのトナー像の転写を受ける。第１用紙搬送路１３１に配置されたレジストローラ１３２は、用紙収容部１０７（給紙カセット１１６Ａ，１１６Ｂ、手差しトレイ１１７）、給紙装置４００、給紙装置５００、または第３用紙搬送路１３６から搬送された用紙の先端が到達した時点では、回転を停止している。
【００２４】
そして、レジストローラ１３２は、レジストローラ１３２を通過した用紙の先端が画像形成位置１３０に到達した時に、中間転写ベルト１１１に付着しているトナー像の先端が画像形成位置１３０に到達するタイミングで回転を開始する。これにより、用紙は、レジストローラ１３２によって先端が画像形成位置１３０においてトナー像の先端に対向するように第１用紙搬送路１３１内を搬送される。なお、レジストローラ１３２は、回転を停止している間に用紙の先端が当接することにより、用紙の斜め送りを矯正する機能も有している。
【００２５】
画像形成位置１３０においてトナー像が転写された用紙は、定着ユニット１３３に導かれる。定着ユニット１３３は、トナー溶融温度まで昇温された加熱ローラ１１３Ａ、及び加熱ローラ１１３Ａに所定のニップ圧で圧接する加圧ローラ１１３Ｂを備えている。用紙は、定着ユニット１３３を通過する際に加熱及び加圧され、トナー像が表面に定着した状態で後処理装置３００に排出される。
【００２６】
画像形成位置１３０では、中間転写ベルト１１１の周面に付着したトナー像の全てが用紙に転写されるべきである。しかしながら、一部が中間転写ベルト１１１に残留する場合がある。また、後述する処理により、中間転写ベルト１１１の周面に付着したトナー像が用紙に転写されることなく画像形成位置１３０を通過する場合もある。このような画像形成位置１３０を通過後の中間転写ベルト１１１に残留したトナーは、クリーニングユニット１１３によって回収される。
【００２７】
一方、後処理装置３００はデジタル複合機１のオプション受渡口より排出された用紙を装置内に搬入させて、各々の後処理を行って排紙トレイに積載するものである。後処理としては、用紙をステープル留めしたり、複数の排紙トレイのうち指定した排紙トレイに排出したり、排紙トレイにおける排出位置をオフセットさせたり、といったものがある。
【００２８】
＜インナーフィニッシャーの動作説明＞
図２は、後処理装置３００を拡大して示す図である。後処理装置３００では、後処理として、用紙をステープル留めするステープル処理、用紙にパンチ穴を空けるパンチ処理が対応可能である。後処理装置３００は、入口ローラ１７１、ステープラ１７２、パンチピン１７８、整合処理部１７３、排紙ローラ１７４、用紙後端検知センサ１７６、及び排紙トレイ１７５等を備えている。デジタル複合機１の第１排紙ローラ１３４にて排出された用紙は、入口ローラ１７１に整合処理部１７３へと搬送され、整合処理部１７３が、用紙を処理台上に順次積載して整合する。整合処理部１７３には、整合板や、パドル、掻き込みベルトなどが備えられている。
【００２９】
ステープル処理の場合、ステープラ１７２が、整合された用紙の束に対して、指定されている箇所にステープル留めを行う。ステープル留めされた用紙束は、排紙ローラ１７４にて排紙トレイ１７５上に排出される。パンチ処理の場合は、用紙後端検知センサ１７６が用紙の後端を検知した時点で、用紙の搬送が一旦停止され、パンチピン１７８が用紙の後端にパンチ穴を空ける。その後、整合処理部１７３へと搬送されて整合されたのち、排紙ローラ１７４にて排紙トレイ１７５上に排出される。
【００３０】
上述のように、第１用紙搬送路１３１は、デジタル複合機１の内部において、用紙収容部１０７から画像形成部１０６の画像形成位置１３０を経由して後処理装置３００に至る間に形成されている。第１用紙搬送路１３１内には、用紙収容部７及び給紙装置４００，５００の各給紙カセットから用紙が給紙される。各給紙カセットから用紙が給紙されたか否かは、各給紙カセットに対応して設けられた給紙センサにて検出されるようになっている。
【００３１】
また、第１用紙搬送路１３１に配置されているレジストローラ１３２の近傍には、レジストセンサが配置されている。レジストセンサは、用紙の先端が、レジストローラ１３２の配置位置に到達したか否かを検出するものである。
第１用紙搬送路１３１に配置されている第１排紙ローラ（第１排出部）１３４は、正逆駆動可能に構成されている。第１排紙ローラ１３４は、正転駆動されることで、用紙をオプション受け渡し口を通して後処理装置３００へと搬送する。また、第１排紙ローラ１３４は、用紙の後端をチャックした状態で逆転駆動されることで、用紙をスイッチバック搬送して、第３用紙搬送路１３６へと搬送する。
【００３２】
第１排紙ローラ１３４の近傍には、第１用紙後端検知センサが配置されている。第１用紙後端検知センサは、後処理装置３００へ搬送される用紙の後端が、第１排紙ローラ１３４に到達したか否かを検出するものである。スイッチバック搬送される前と後では、用紙の始端と後端は入れ替わる。
【００３３】
上記第１用紙搬送路１３１から分岐する第３用紙搬送路１３６は、第１用紙搬送路１３１における定着ユニット１３３と第１排紙ローラ１３４との間に配された第１搬送ローラ１６１の定着ユニット１３３側で分岐している。第１搬送ローラ１６１も第１排紙ローラ１３４と同様に、正逆駆動可能に構成されている。第１搬送ローラ１６１は、正転駆動されることで用紙を第１排紙ローラ１３４へと搬送する。また、第１搬送ローラ１６１は、逆転駆動されることでスイッチバック搬送された用紙を第３用紙搬送路１３６へと搬送する。
【００３４】
第３用紙搬送路１３６には、さらに第２、第３の搬送ローラ１６２，１６３が配置されている。これら第２、第３の搬送ローラ１６２，１６３は１方向にのみ回転して、用紙をレジストローラ１３２へと再度搬送する。
【００３５】
＜フィニッシャーの他の実施形態＞
図３は、後処理装置の他の例を示す概略図である。本例の後処理装置３０１は、デジタル複合機１の本体より排出された用紙を入口ローラ３１１によって装置内部に導き、デジタル複合機１からの指示により、用紙を処理せずに装置内部を素通りさせたり、装置内部で用紙を束ねて針止めするステープル処理を行う。
【００３６】
後処理装置３０１において、デジタル複合機１からの指示によりノンステープルモードが選択された場合は、用紙は、入口ローラ３１１により装置内に導入され、分岐爪３２１、３２２を通過して（通常、分岐爪３２１，３２２はノンステープル搬送経路３３１方向に位置している）、排紙ローラ３１２によって上下動可能な排紙トレイ３４１上に排出されて積載される。この時、排紙ガイド板３５１は閉じた状態にある。
【００３７】
デジタル複合機１の操作部において割り込みトレイ排出モードが選択された場合は、分岐爪３２１が所定角度回転し、用紙は割り込みトレイ搬送経路３３２に搬送され、排紙ローラ３１３によって割り込みトレイ３４２に排出されて積載される。
デジタル複合機１の操作部においてステープルモードが選択された場合は、分岐爪３２２が作動して、用紙はステープル搬送経路３３３に搬入され、さらにステープルトレイ排出ローラ３１４によってステープルトレイ３６１に排出されて積載される。
【００３８】
ステープルトレイ３６１に排出された用紙は、たたきコロ３１５によって用紙１枚毎にステープルトレイ３６１の下方向に落とされ、用紙後端基準フェンス３６２に押し当てられ、そしてその後端の整合が行なわれる。
整合された用紙は、端面綴じステープラ３６３によって用紙束後端の所定の位置に１個所、または２個所の綴じ処理が施される。綴じ処理の施された用紙束は放出ベルト（図示しない）と一体になった放出爪（図示しない）によって排紙ローラ３１２まで持ち上げられる。そして、排紙ガイド板３５１によって排紙ローラ３１２に加圧され、この排紙ローラ３１２によって排紙トレイ３４１に排出されて積載される。
【００３９】
＜デジタル複合機を用いた画像処理システムの構成例＞
図４は、本発明の一実施形態に係る画像処理装置の一例としてのデジタル複合機を用いて構築される画像処理システムの構成例を示す模式図である。図４において、１はデジタル複合機、２，３は外部コンピュータ、４はインターネットファクシミリ装置（インターネットＦＡＸ装置）、５はファクシミリ装置である。
【００４０】
デジタル複合機１は、プリント機能、コピー機能の他に、画像データをファックスで送受信する機能（ファクシミリ機能）及び／または画像データをインターネットＦＡＸで送受信する機能（インターネットＦＡＸ機能）を有する。このデジタル複合機１には、通信網を介して各種の外部機器が接続されている。例えば、ローカルな通信網として敷設されている通信ネットワークＬＮには、パーソナルコンピュータ（ＰＣ）等の外部コンピュータ２が接続されおり、図に示していないゲートウェイ等を介して接続されているインターネット網ＩＮには外部コンピュータ３及びインターネットＦＡＸ装置４が接続されている。  
【００４１】
また、デジタル複合機１には、公衆電話回線網ＰＮを介して外部のファクシミリ装置５が接続されている。なお、上述したように、本発明に係る画像処理装置をデジタル複合機１に適用した場合についてのみ説明するが、本発明に係る画像処理装置としては、複合機やプリンタなどの画像形成装置に限らず、インターネットＦＡＸ装置４やファクシミリ装置５などの画像送信装置にも適用できる。
【００４２】
以下、このデジタル複合機１の構成及び動作について説明する。図５は、図４のデジタル複合機の構成例を示す概略ブロック図で、図６は、図５のデジタル複合機におけるタッチパネル及びキー操作部の一例を示す外観図である。
【００４３】
図５で例示するデジタル複合機１は、タッチパネル１０、パネル制御部１１、記録部１２、読取部１３、フォーマット変換部１４、画像記憶部１５、画像処理部１６、符号化／復号部１７、メイン制御部１８、制御用メモリ１９、キー操作部２０、ＬＡＮ（Local Area Network）制御部２１、制御用バッファ２２、網制御部（ＮＣＵ：Network Control Unit）２３、モデム２４、及びＵＳＢ（Universal Serial Bus）インターフェース（Ｉ／Ｆ）２５を備えている。また、デジタル複合機１は、穴あけ（パンチ）やステープル処理などを行う上述のごとくの後処理装置を備えてもよく、以下、この後処理装置を備えた形態を挙げて説明する。
【００４４】
メイン制御部１８は、ＣＰＵ（Central Processing Unit）又はＤＳＰ（Digital Signal Processor）などで構成される。制御用メモリ１９は、ＲＯＭ（Read Only Memory）やＥＥＰＲＯＭ（Electrically Erasable and Programmable ROM）等の不揮発性メモリなどで構成される。制御用メモリ１９内にはメイン制御部１８から読み出し可能なように、プログラム（ファームウェア）と各種設定データとが格納されている。このうち少なくとも各種設定データは書き換え可能なメモリに格納されている。また、これらのプログラムや各種設定データは、後述する画像記憶部１５の構成例としてのハードディスクに記憶してもよい。また、制御用バッファ２２はＲＡＭ（Random Access Memory）等の揮発性メモリで構成される。
【００４５】
上述のプログラムは、プレビュー画像の生成や表示に係る命令をはじめ、ファクシミリ画像や電子メール等の生成・送信・受信等に係る命令、原稿の読み取りに係る命令、印刷に係る命令、原稿の読み取り及び印刷（つまりコピー）に係る命令などを、メイン制御部１８が他の部位に対して行うためのものである。このプログラムは、メイン制御部１８により、制御用バッファ２２上に展開され、制御用バッファ２２を一時保存（作業）用のデータ領域として、各種設定データを適宜参照しながら実行される。なお、ジョブプログラムも書き換え可能なメモリに記憶している。
【００４６】
読取部１３は、ＣＣＤ（Charge Coupled Device）を利用したスキャナで、原稿を所定の解像度のＲＧＢ（Ｒ：赤、Ｇ：緑、Ｂ：青）のビットマップ画像として読み取り、読み取ったＲＧＢの画像データ（ドットイメージデータ）を画像処理部１６に出力する。画像処理部１６は、ＡＳＩＣ（Application Specific Integrated Circuit）などで構成され、対象となる画像データに対して様々な画像処理を施す。画像処理の例については後述する。上述のＡＳＩＣには符号化／復号部１７等の他の部位も組み込んでよい。
【００４７】
画像記憶部１５は、ハードディスク等で構成され、読取部１３で読み取り画像処理部１６を経た画像データや、ＬＡＮ制御部２１やＮＣＵ２３等を介して外部から受信した画像データなどを記憶する。画像記憶部１５に画像データを記憶する際には、符号化／復号部１７で符号化したデータを記憶することもできる。また、画像記憶部１５は、画像処理部１６での画像処理中に発生する中間データの一時的な保存も行ってもよい。
【００４８】
符号化／復号部１７は、画像データを符号化により圧縮すると共に、符号化画像データを元の画像データに復号（伸張）する。例えば、符号化／復号部１７は、原稿を読み取った画像データの符号化、その符号化データの復号、及び外部から受信した符号化画像データの復号などを行う。符号化／復号部１７では、ファイリングで一般的に使用されているＪＰＥＧ（Joint Photographic Experts Group）や、ファクシミリ通信で一般に使用されているＭＨ（Modified Huffman）、ＭＲ（Modified READ）、及びＭＭＲ（Modified Modified READ）など、用途に応じた符号化方式を用いることができる。また、符号化方式として、ＩＰファクシミリ通信ではＭＨを採用することができ、インターネットファクシミリ通信ではＭＨ、ＭＲ、ＭＭＲの他にＪＰＥＧやＪＢＩＧ（Joint Bi-level Image Experts Group）を採用することができる。
【００４９】
フォーマット変換部１４は、読み取られた画像データや外部から受信した画像データを、ＰＤＦ（Portable Document Format）、ＧＩＦ（Graphics Interchange Format）、ＴＩＦＦ（Tag Image File Format）等の所定のファイルフォーマットに変換する。
【００５０】
記録部１２は、電子写真方式やインクジェット方式などの印刷方式を採用したプリンタ装置を備え、画像記憶部１５に記憶された画像データなどを、記録用紙などの被画像形成媒体に記録（つまり印刷）する。
また、ＵＳＢ  Ｉ／Ｆ２５は、ＵＳＢメモリ等のＵＳＢ機器に接続するためのＩ／Ｆであり、画像記憶部１５に記憶された原稿読み取り後の画像データ等をＵＳＢ機器に出力したり、ＵＳＢ機器からファイルを読み込んだりする。
【００５１】
モデム２４は、ファクシミリ通信が可能なファクシミリモデムから構成されており、電話回線と接続され、またＮＣＵ２３と直接的に接続されている。ＮＣＵ２３は、電話回線と接続され、回線の制御を行う。すなわち、ＮＣＵ２３は、アナログの公衆電話回線網（ＰＳＴＮ）との回線の閉結及び開放の動作を行うハードウェアであり、必要に応じてモデム２４を公衆電話回線網と接続する。このような構成により、画像記憶部１５に記憶された画像データを外部へファクシミリ送信することや、電話回線からファクシミリ画像データを受信して、画像記憶部１５に記憶したり記録部１２で直接印刷したりすることが可能となる。
【００５２】
ＬＡＮ制御部２１は、ＬＡＮと接続され、インターネット経由による電子メールデータの通信及びインターネットＦＡＸの通信を行う。インターネットＦＡＸは、ＬＡＮインターフェース等を用いてＬＡＮ等のコンピュータネットワークを介して、電子メールを送受信するものである。
【００５３】
タッチパネル１０又はキー操作部２０は、原稿の読み取り処理、画像データ送信、印刷等の処理の中から所望の処理を選択するための操作、その処理を開始するための操作、各処理を実行する際に必要となる設定を行うための操作（選択操作又は入力操作）などを受け付ける。この設定としては、例えば印刷時の印刷枚数の設定、穴あけ（パンチ）やステープルの設定、ファクシミリ画像や電子メールの送信時の相手先情報の設定など、様々挙げられる。タッチパネル１０及びキー操作部２０は、本発明の操作入力部に該当する。
【００５４】
キー操作部２０は、操作するために必要なキー群を備えている。タッチパネル１０は、表示部とタッチセンサ等の操作受付部とを有する。タッチパネル１０は、パネル制御部１１によってその表示制御及び操作受け付けの制御がなされる。つまり、パネル制御部１１は、タッチパネル１０における表示部の表示制御や操作受付部の操作受付制御を行う。
【００５５】
タッチパネル１０の表示部には、現在の動作状態や設定情報（例えば送信先等）などが表示される。この表示は、ＧＵＩ（Graphical User Interface）画像を表示させるように、パネル制御部１１が制御することで実現される。ＧＵＩにより、ユーザ操作に応じてその表示及び操作受付位置を変更することができる。各ＧＵＩ及びその画像は、パネル制御部１１の内部メモリまたは制御用メモリ１９に、読み出し可能に格納しておけばよい。また、表示部としては、液晶ディスプレイや有機ＥＬ（Electroluminescence）ディスプレイなど、様々な表示形式の表示装置を採用することができる。
【００５６】
タッチパネル１０上で受けたユーザ操作はパネル制御部１１で解釈され、操作信号としてメイン制御部１８に伝送される。キー操作部２０で受けたユーザ操作は、キー操作部２０自身で解釈され、操作信号としてメイン制御部１８に伝送される。メイン制御部１８は、このようにして得た操作信号に応じた命令を他の部位に発することで、ユーザ操作に応じた処理を他の部位に実行させる。なお、表示装置及び操作部が一体となったタッチパネル１０を挙げて説明したが、タッチパネル１０の代わりに単に表示装置のみを設けてもよく、その場合、キー操作部２０のみでユーザ操作を受け付ける。
【００５７】
タッチパネル１０及びキー操作部２０は、図６で例示するような操作パネル３０として構成してもよく、操作パネル３０は、各種ハードウェアキーを備えるキー操作部３１（キー操作部２０に相当する）と、液晶ディスプレイ及びタッチセンサにより構成されるタッチパネル３２（タッチパネル１０に相当）とにより構成される。以下、図５の構成においてタッチパネル１０及びキー操作部２０の代わりにタッチパネル３２及びキー操作部３１を当てはめて、本発明の詳細について説明する。
【００５８】
キー操作部３１は、ハードウェアキーとして、数値入力のためのテンキー３１ａ、入力した設定値をクリアするためのクリアキー３１ｂ、入力した各種設定を全解除するための全解除（キャンセル）キー３１ｃ、コピー開始、送信開始等の指示を受付けるスタートキー３１ｄの他、プリント機能、送信機能、及びコピー機能を切替える機能切替キー３１ｅ，３１ｆ，３１ｇ、並びに、ユーザによる設定を受付けるシステム設定キー３１ｈを備えている。
【００５９】
デジタル複合機１に対する画像データの入力は、読取部１３による原稿画像の読み取りにより行われるか、またはファクシミリやインターネットにより送信されるか、あるいはメモリ等の記録媒体から転送されることにより実行される。これらの画像データの入力経路のインターフェース部が、本発明の画像入力部に該当し、各画像入力部から処理対象となる画像データの入力が可能となっている。本発明の一実施形態では、入力部に入力した画像データの処理内容を登録したジョブプログラムの設定内容に基づくプレビュー画像を表示させることができる。このときに、読取部１３で読み取った画像データを使用する場合には、読取部１３で読み取って出力された画像データを、画像入力部に入力した画像データとして処理を行う。
【００６０】
上述した構成例のデジタル複合機１における動作例について説明する。
＜原稿読み取り動作＞
原稿読み取り動作は、読み取った原稿の画像データを画像記憶部１５に記憶（ファイリング）する場合、読み取った原稿の画像データを外部に送信する場合、読み取った原稿の画像データを印刷する場合（つまりコピーする場合）などに行われる。
【００６１】
原稿読み取りを必要とするような処理を行うユーザ操作が操作パネル３０で受け付けられたとき、メイン制御部１８は、読取部１３、画像記憶部１５、画像処理部１６、及び符号化／復号部１７などに指示を行い、次に説明するような処理を実行させる。
【００６２】
読取部１３は、原稿台または自動原稿送り装置に載置された原稿の画像を光学的に読み取り、読み取った結果であるＲＧＢ画像データ（ＲＧＢのビットマップデータ）を画像処理部１６に渡す。画像処理部１６は、そのＲＧＢ画像データに対して、Ａ／Ｄ変換、シェーディング補正、γ補正などの各種画像処理（以下、原稿画像処理という）を実行する。ここで、シェーディング処理は、読取部１３の照明系・結像系・撮像系で生じる各種歪みを取り除く処理である。
【００６３】
原稿画像処理としては、Ａ／Ｄ変換、シェーディング補正、γ補正に続き、原稿判別処理、領域分離処理を実行するとよい。原稿判別処理は、入力された画像データ（ここではγ補正後の画像データ）から、原稿の種別を判別する処理と原稿がカラー原稿であるのか白黒原稿であるのかを判別する処理とを含む。原稿の種別としては、例えば文字原稿、印刷写真原稿、それらが混在した文字印刷写真原稿などが挙げられる。
【００６４】
画像処理部１６は、これらの原稿判別処理及び白黒／カラー原稿判別処理の結果として、判別信号（以下、原稿判定データという）を出力する。領域分離処理とは、入力された画像データ（ここではγ補正後の画像データ）の各画素がどのような種類の領域に属するのかを判定する処理であり、例えば、各画素が黒文字の領域、色文字の領域、網点の領域などのいずれの領域に属する画素であるのかを判定する処理である。画像処理部１６は、この判定結果として領域分離データを出力する。なお、この領域分離処理は、上述の原稿判別処理及び白黒／カラー判別処理の結果に基づき実行してもよい。
【００６５】
原稿判定データ及び領域分離データは、対応する画像データ（原稿画像処理後の画像データ）に関連付けられて、画像記憶部１５に記憶される。このとき、符号化／復号部１７で原稿判定データ及び領域分離データを符号化した後、各符号化データを対応する画像データと関連付けて画像記憶部１５に記憶する。なお、画像記憶部１５へ記憶する際の符号化は必須ではないが、以下の説明では符号化した状態で画像データが記憶されるものとして説明する。原稿読み取り動作以外の動作についても同様とする。
【００６６】
＜印刷動作＞
上述した原稿読み取り動作により、読み取った原稿の画像データのファイリングまでは完了する。次に、読み取った原稿の画像データを印刷する場合（つまり原稿をコピーする場合）の印刷動作について説明する。印刷を必要とするような処理を行うユーザ操作が操作パネル３０で受け付けられたとき、メイン制御部１８は、記録部１２、画像記憶部１５、画像処理部１６、及び符号化／復号部１７などに指示を行い、次に説明するような処理を実行させる。なお、メイン制御部１８は、例えばコピー操作がなされたときには読取部１３への指示（原稿読み取り指示）も行うことになる。
【００６７】
また、デジタル複合機１は、印刷時に、定型スタンプ、日付（又は日時）、ページ番号などの付加情報を画像データに付加することが可能になっており、このような付加の指示があった場合にはメイン制御部１８が画像処理部１６を制御する。画像データに付加された付加情報は付加画像であると言える。付加情報は制御用メモリ１９に記憶され、必要に応じて読み出される。勿論、元々付加情報を付加画像のデータとして格納しておいてもよい。
【００６８】
また、付加情報を複数、制御用メモリ１９に格納しておくと共に、付加設定情報を制御用メモリ１９に格納しておくとよい。この付加設定情報としては、画像データに対して付加する位置（以下、付加位置という）を示す情報を少なくとも含み、複数の付加情報が格納されている場合にはそのいずれを選ぶかの情報も含むものとする。また、後処理装置でのパンチやステープル処理を実行する指示があった場合には、メイン制御部１８はこの後処理装置も制御する。
【００６９】
符号化／復号部１７は、画像記憶部１５から印刷対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、印刷用画像処理という）を実行する。印刷用画像処理としては、以下にその概略を説明するように、画質調整処理、二色化処理、色補正処理、黒生成／下色除去処理、空間フィルタ処理、変倍処理、出力階調補正処理、及び中間調生成処理などが挙げられる。黒生成／下色除去処理、空間フィルタ処理、及び中間調生成処理は、領域分離データが示す各種領域に応じた処理となる。
【００７０】
画質調整処理としては、復号後の画像データから下地の検出を行って下地除去を行う。また、画質調整処理としては、操作パネル３０によりユーザ設定された設定情報に基づいて、下地除去後の画像データについてＲＧＢの調整（カラー調整、赤み青みといった全体のカラー調整）、明るさの調整、及び鮮やかさの調整も行う。このとき、原稿判定データが示す原稿種別に応じた調整を行ってもよい。
【００７１】
色補正処理としては、画質調整処理後のＲＧＢデータから、ＲＧＢの補色であるＣＭＹ（Ｃ：シアン、Ｍ：マゼンタ、Ｙ：イエロー）を構成要素とするＣＭＹデータを生成し、色再現性を高める処理を行う。黒生成／下色除去処理としては、色補正後のＣＭＹデータから黒（Ｋ）データを生成する黒生成処理と、元のＣＭＹデータから黒生成で得たＫデータを差し引いて新たなＣＭＹデータを生成する下色除去処理とを行う。
【００７２】
空間フィルタ処理としては、これら４色のデータであるＣＭＹＫデータに対して強調処理や平滑化処理を行う。画像データを二色（例えば赤と黒）で出力する二色カラーモードが選択された場合には、二色化処理が実行される。
二色化処理としては、ＲＧＢデータから指定の二色（この場合、赤色と黒色）を表現するＣＭＹデータに変換する処理を行う。二色カラーモードの場合、黒生成／下色除去処理は二色化処理後のＣＭＹデータに対して実行され、空間フィルタ処理も実行されるが、色補正処理は実行されない。
【００７３】
変倍処理としては、空間フィルタ処理後のＣＭＹＫデータに対し、操作パネル３０でユーザ操作により設定された印刷倍率に基づいて画像拡大処理又は画像縮小処理を行う。印刷倍率とは、読み取られ記憶された画像データが示す画像に対する印刷後の画像の倍率である。勿論、印刷倍率はユーザ操作により得られた倍率に限らず、印刷倍率に対する操作がなかった場合にはデフォルト設定の倍率となる。出力階調補正処理としては、ＣＭＹＫデータに対し、記録用紙等の記録媒体に出力するための出力γ補正処理を行う。中間調生成処理としては、出力階調補正処理後のＣＭＹＫデータに対して、誤差拡散処理やディザ処理により、画像を出力するための階調再現処理を行う。出力階調補正処理や中間調生成処理では、例えば文字領域とそれ以外で処理内容を異ならせるなど、原稿判定データが示す原稿種別に応じた処理を行ってもよい。
【００７４】
中間調生成処理後のＣＭＹＫデータは記録部１２に渡される。付加情報を付加する場合について説明する。付加情報についても印刷データの変倍率に応じて変倍処理を施す方法と、付加情報は印刷データの変倍率に関係なく変倍処理を施さない方法とがある。まず、付加情報も変倍処理する場合には、メイン制御部１８が付加情報及び付加位置を示す情報を読み出して、メイン制御部１８又は画像処理部１６が必要に応じて画像データに変換し、変倍処理の前にこの付加情報の画像データを画像処理部１６に渡す。なお、この変換は元々付加画像データが格納されている場合には必要ない。続いて、画像処理部１６が、付加情報の画像データを、変倍処理前の画像データである付加先の画像データに対し上記付加位置に合成すればよい。
【００７５】
付加情報を変倍処理しない場合には、メイン制御部１８が付加情報及び付加位置を示す情報を読み出して、メイン制御部１８又は画像処理部１６が必要に応じて画像データに変換する。この例では変換によりＣＭＹＫデータとなる。なお、この変換は元々付加画像データが格納されている場合には必要ない。続いて、画像処理部１６が、付加情報の画像データを、変倍処理後の画像データである付加先の画像データ（出力階調補正処理又は中間調生成処理の対象となる上述のＣＭＹＫデータ）に対し上記付加位置に合成すればよい。
【００７６】
いずれの場合にも、画像処理部１６が付加情報を付加した状態の中間調生成処理後のＣＭＹＫデータを出力することができる。なお、デジタル複合機１では、付加情報やその付加位置は、次に説明するプレビュー表示を行いながら操作パネル３０によりユーザ設定可能とする。
【００７７】
記録部１２は、このようにして画像処理部１６で印刷用画像処理が施された画像データ（この例ではＣＭＹＫの画像データ）を受け取り、電子写真方式やインクジェット方式などによりハードコピー（プリントアウト）する。そして、ここで印刷された用紙に対して、後処理装置が必要に応じてパンチやステープル処理を実行する。なお、ここで説明した印刷動作の対象データは、読取部１３で読み取られた画像データに限ったものではなく、例えば、ＵＳＢメモリ等の外部記録媒体やネットワーク接続されたＰＣなどから事前に転送され画像記憶部１５に記憶された画像データ（画像ファイル）についても、同様に適用できる。ファクシミリ受信し画像記憶部１５に記憶された画像データの印刷動作については後述する。
【００７８】
＜印刷する画像データのプレビュー表示動作＞
次に、原稿読み取りの結果として画像記憶部１５に記憶された画像データを、印刷前にタッチパネル３２でプレビュー表示する動作（プレビュー表示動作）について説明する。デジタル複合機１は、印刷対象となった画像データについてプレビュー表示を可能にする構成を有する。このプレビュー表示動作は、プレビュー表示を必要とするような処理を行うユーザ操作が操作パネル３０で受け付けられたときに行われる。例えば、原稿読み取り後の画像データに対して印刷実行前にまずプレビュー表示を行う設定になっているときなどにも、プレビュー表示動作がなされる。例えば、プレビュー表示を行う設定後に、コピー条件を設定してスタートキーを押下した段階で、原稿の読み取りを開始し、読み取った後にプレビュー画像をタッチパネル３２に表示させてもよい。
【００７９】
メイン制御部１８は、画像記憶部１５、画像処理部１６、符号化／復号部１７、及びパネル制御部１１などに指示を行い、次に説明するような処理を実行させる。なお、メイン制御部１８は、例えば原稿をコピーする操作がなされたときには読取部１３への指示（原稿読み取り指示）も行うことになる。
【００８０】
符号化／復号部１７は、画像記憶部１５からプレビュー対象の画像データとそれに対応する原稿判定データ及び領域分離データとを読み出して復号し、画像処理部１６に渡す。画像処理部１６は、復号後の画像データ（ＲＧＢ画像データ）に対して各種画像処理（以下、プレビュー用画像処理という）を実行する。プレビュー用画像処理としては、以下にその概略を説明するように、画質調整処理、二色化処理、色補正処理、空間フィルタ処理、変倍処理、及び出力階調補正処理などが挙げられる。空間フィルタ処理及び出力階調補正処理は、領域分離データが示す各種領域に応じた処理となる。
【００８１】
ここでの画質調整処理は、印刷用画像処理での画質調整処理と同様である。色補正処理としては、タッチパネル３２の表示特性に基づいて、画質調整処理後の画像データ（ＲＧＢデータ）をＲ′Ｇ′Ｂ′データに変換する処理を行う。空間フィルタ処理としては、このＲ′Ｇ′Ｂ′データに対して強調処理や平滑化処理を行う。
【００８２】
変倍処理としては、空間フィルタ処理後のＲ′Ｇ′Ｂ′データに対し、印刷倍率に応じた画像拡大処理／画像縮小処理を施し、さらにそのＲ′Ｇ′Ｂ′データの画素数をタッチパネル３２の画素数（表示解像度）に変換する処理を行うと共に、プレビュー表示倍率に基づいて画像拡大処理や画像縮小処理を行う。なお、プレビュー表示倍率とは、例えば２倍、４倍等の倍率であって、プレビュー表示時の画像の倍率である。
【００８３】
画像処理部１６に設けたプレビュー画像生成部１６ａは、主にこのようなプレビュー表示用の変倍処理によりプレビュー表示用の画像（プレビュー画像）を生成するためのものであり、本発明のプレビュー画像を表示部に表示するための表示制御部に相当する。
【００８４】
ここで、付加情報を付加する場合のプレビュー画像について説明する。上述のように、デジタル複合機１では、出力対象の画像データに付加情報を付加して出力することが可能となっており、プレビュー表示は、パネル制御部１１が、付加情報を示す画像を表示させる制御を行うことで実行される。そのため、プレビュー画像生成部１６ａが、このような付加情報を示す画像を生成し出力対象の画像データから生成したプレビュー画像に合成することで、付加情報付きのプレビュー画像を生成する。これをパネル制御部１１がタッチパネル３２に表示させる。
【００８５】
付加情報は、印刷倍率に応じて変倍処理を行って印刷対象の画像データと共に出力することができ、また印刷倍率に応じた変倍処理を行った後の印刷対象の画像データに付加して出力することもできる。まず、付加情報も変倍処理して出力する場合には、メイン制御部１８が付加情報及びその付加位置を読み出して、変倍処理の前に画像処理部１６に渡す。続いて、プレビュー画像生成部１６ａが、この付加情報を示す画像のＲ′Ｇ′Ｂ′データを生成し、変倍処理前の画像データである付加先の画像データに対し上記付加位置に合成する。そして、付加情報の画像が付加された後のＲ′Ｇ′Ｂ′データに対し、印刷倍率に応じた画像拡大処理／画像縮小処理を施すとよい。
【００８６】
付加情報を変倍処理しない場合には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、それを印刷倍率に応じた画像拡大処理／画像縮小処理後のＲ′Ｇ′Ｂ′データに対し上記付加位置に合成し、付加後のＲ′Ｇ′Ｂ′データの画素数をタッチパネル３２の画素数（表示解像度）に変換する処理を行うと共に、プレビュー表示倍率に基づいて画像拡大処理や画像縮小処理を行う。
【００８７】
また、後処理装置においてパンチやステープル処理を施す場合には、印刷対象となる画像データ（及び付加情報を示す画像のデータ）から生成したプレビュー画像にパンチ穴やステープル等の後処理の画像データを、パンチ位置やステープル位置に合成して出力することができる。もしくは、印刷対象となる画像データ（及び付加情報を示す画像のデータ）から生成したプレビュー画像とは別に、その近隣に、パンチ穴やステープル等の後処理の画像データを合わせて出力してもよい。後者の場合、合成処理が不要となるため、処理速度が速くなる。いずれの方法によっても、画像データのプレビュー表示時に、画像形成する用紙の仕上がり状態を表示させることができる。
【００８８】
出力階調補正処理としては、プレビュー画像のＲ′Ｇ′Ｂ′データまたはプレビュー画像及び後処理の画像のＲ′Ｇ′Ｂ′データに対し、タッチパネル３２で画像データを表示するための出力γ補正処理を行う。出力階調補正処理では、例えば文字領域とそれ以外で処理内容を異ならせるなど、原稿判定データが示す原稿種別に応じた処理を行ってもよい。
【００８９】
二色化処理は、画像データを例えば赤と黒の二色で出力する二色カラーモードが選択された場合のみに実行される。二色化処理としては、画質調整処理後のＲＧＢデータから指定の二色（この場合、赤色と黒色）を表現するＣＭＹデータに変換する処理を行う。生成されたＣＭＹＫデータは、後段の色補正処理において、タッチパネル３２の表示特性に基づいてＲ′Ｇ′Ｂ′データに変換される。
【００９０】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。ユーザは、この付加情報を示す画像を含むプレビュー表示された画像を確認して、このまま印刷を実行するか中止するか、或いは付加情報を削除するか、付加位置の変更（または付加情報の変更）などを実行するかなどを判断して、それに応じた操作を行うことができる。
【００９１】
＜原稿読み取り・プレビュー表示・印刷についての補足＞
プレビュー表示動作について印刷動作と別個に説明したが、まず印刷動作として出力階調補正処理を施した後の画像データ（ＣＭＹＫデータ）を、タッチパネル３２の表示特性に基づいてＲ′Ｇ′Ｂ′データに変換し、タッチパネル３２の画素数（表示解像度）に合わせた変換処理やプレビュー表示時の変倍処理を行って、ＧＵＩ画像に組み込んでタッチパネル３２に表示してもよい。印刷動作がある程度完了しておりプレビュー表示後の印刷動作が素早く完了できるため、例えばコピー操作がなされたときに事前にプレビュー表示を行うような設定となっている場合などに有用である。
【００９２】
また、原稿読み取り動作として、符号化した画像データと原稿種別データと領域分離データとを対応付けて画像記憶部１５に格納する例を挙げ、この例に基づき印刷動作時やプレビュー表示動作についても説明した。この代替方法として、読取部１３で読み込んだ画像データのみを対象として符号化して、一旦、画像記憶部１５に格納しておいてもよい。この場合、印刷動作時やプレビュー表示動作時に、画像記憶部１５から読み出し符号化／復号部１７で復号した画像データに対して、画像処理部１６が原稿種別判別処理や領域分離処理を施すように構成すればよい。また、このような代替方法は、後述するファクシミリ送信やインターネットＦＡＸ送信等の画像データ送信時にも適用することができる。
【００９３】
＜ファイリング動作についての補足＞
ファイリング動作（ドキュメントファイリング動作）は、原稿読み取り動作として説明したように、読み取った画像データを（必要に応じて符号化して）、デジタル複合機１の内部に設けられた画像記憶部１５に記憶する動作である。ファイリング時でも、記憶対象の画像データに対して付加情報を付加してから記憶（ファイリング）することができる。画像記憶部１５にファイリングする画像データのプレビュー表示動作については、基本的に印刷する画像データについて説明した通りである。
【００９４】
＜ファクシミリ受信した画像データの印刷動作＞
次に、ファクシミリ通信により受信した画像データの印刷動作について説明する。メイン制御部１８は、モデム２４でファクシミリ通信要求を検知したときに、記録部１２、画像記憶部１５、画像処理部１６、ＮＣＵ２３、及びモデム２４などに指示を行い、次に説明するような処理を実行させる。
【００９５】
まず、モデム２４及びＮＣＵ２３は、通信手続きを行いながら送信元から送信されてくる画像データ（圧縮画像データ）を順次受信し、受信した圧縮画像データの伸張を行うと共に、必要に応じて回転処理（送信方向を回転させる処理）や解像度変換処理などを実行して、画像処理部１６に渡す。
【００９６】
ファクシミリ通信により受信した画像データは白黒２値であるので、画像処理部１６では、伸張等の処理を行った画像データ（Ｋデータ）に対して、特に処理を施さず、そのまま記録部１２に渡される。記録部１２は、この画像データを受け取り、電子写真方式やインクジェット方式などにより印刷を実行する。また、ファクシミリ通信によって受信した画像データに対しても、上述した付加情報を付加した後に印刷することもできる。
【００９７】
モノクロ画像でのファクシミリ受信について説明したが、カラーのファクシミリ画像（ＲＧＢデータ）を受信した際には、画像処理部１６がここで説明したファクシミリ受信用画像処理をこのＲＧＢデータに対して実行するなどすればよい。
【００９８】
＜ファクシミリ受信した画像データのプレビュー表示動作＞
ファクシミリ通信により受信した画像データのプレビュー表示動作について、同画像データの印刷動作に基づき簡単に説明する。このプレビュー表示動作は、受信した画像データを事前に確認してから印刷を実行するような事前設定やユーザ操作があったときなどに行われる。このプレビュー表示動作では、画像処理部１６が、伸張等の処理を施した後の画像データに対して、付加情報を付加する場合にはその付加情報の画像データを合成した後に、さらにタッチパネル３２の画素数（表示解像度）に合わせた変換処理及びプレビュー表示時の変倍処理を行い、変倍処理後の画像データがＧＵＩ画像に組み込まれてタッチパネル３２に表示されることになる。
このようにファクシミリ受信した画像データについて印刷を実行する前のプレビュー表示時にはコピーモードとして取り扱ってよい。ユーザは、このプレビュー表示された画像を確認して、印刷を実行するか破棄するかを判断して、印刷または破棄の操作を行うことができる。
【００９９】
＜ファクシミリ送信動作＞
次に、読み取った原稿の画像データをファクシミリ送信する場合の送信動作について説明する。ファクシミリ画像データは、タッチパネル３２またはキー操作部３１でのユーザ操作により設定された相手先（送信先）情報に対して送信される。相手先情報（この例では電話番号）は制御用メモリ１９に記憶され、必要に応じて読み出される。通常、相手先情報は、アドレス帳データとして複数の相手先の情報が閲覧可能に且つ選択可能に格納されているか、或いは送信前に直接入力される。
【０１００】
ファクシミリ送信を実行するためのユーザ操作が操作パネル３０で受け付けられたとき、メイン制御部１８は、画像記憶部１５、画像処理部１６、符号化／復号部１７、ＮＣＵ２３、及びモデム２４などに指示を行い、次に説明するような処理を実行させる。なお、メイン制御部１８は、例えば原稿をファクシミリ送信する操作がなされたときには読取部１３への指示（原稿読み取り指示）も行うことになる。なお、画像記憶部１５に記憶された画像データについてプレビュー表示を実行しながら、送信対象の画像データを選択し、その画像データについてファクシミリ送信を開始することも可能である。
【０１０１】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、ファクシミリ送信用画像処理という）を実行する。ファクシミリ送信用画像処理としては、以下にその概略を説明するように、画質調整処理、空間フィルタ処理、変倍処理、出力階調補正処理、及び中間調生成処理などが挙げられる。空間フィルタ処理及び中間調生成処理は、領域分離データが示す各種領域に応じた処理とすればよいが、領域分離データを用いなくてもよい。さらに、ファクシミリ送信に伴う原稿読み取り動作では、読み取った画像データに対する領域分離処理やその領域分離データの符号化及び記憶を実行しなくてもよい。
【０１０２】
画質調整処理としては、復号後の画像データを、マトリクス係数を用いてＫデータに変換する。このとき、原稿判定データが示す原稿種別に応じたマトリクス係数を用いてもよい。空間フィルタ処理としては、このＫデータに対して強調処理や平滑化処理を行う。変倍処理としては、空間フィルタ処理後のＫデータに対し、操作パネル３０で設定された送信解像度又はデフォルト設定の送信解像度に応じて画像拡大処理や画像縮小処理を行う。  
【０１０３】
出力階調補正処理としては、変倍処理後のＫデータに対し、例えば送信先における記録用紙等の記録媒体に出力することを目的とした出力γ補正処理を行う。実際には、送信先の機器を考慮した出力γ補正でなく一般的な機器に対する出力γ補正を行えばよい。中間調生成処理としては、出力階調補正処理後のＫデータに対して、例えば誤差拡散処理により二値化を行う。出力階調補正処理や中間調生成処理では、原稿判定データが示す原稿種別に応じた処理を行ってもよい。
【０１０４】
モノクロ画像でのファクシミリ送信について説明したが、カラー画像でのファクシミリ送信の際には、画像処理部１６が上述のファクシミリ送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【０１０５】
中間調生成処理後の画像データは、必要に応じて回転処理が施され、符号化／復号部１７でファクシミリ送信時の圧縮形式で圧縮符号化されて、画像記憶部１５に一時的に保存される。モデム２４は、ＮＣＵ２３を介して設定された送信先との送信手続きを行い、送信先との通信を確立した段階（送信可能な状態にした段階）で、この一時的に保存されている符号化されたＫデータを読み出し、圧縮形式の変更などの必要な処理の後に公衆回線網を介して送信先に順次送信する。
【０１０６】
そして、デジタル複合機１は、送信対象の画像データにも、付加情報を付加して送信することが可能となっている。この例のように画像データを外部へ送信する際には、付加情報として、スタンプ、日付（日時）、ページ番号の他に、送信元情報（発信元情報）も付加情報を付加することが可能となっている。ここで、画像データ送信時に付加する送信元情報には、送信者の名称の情報、送信元の電話番号の情報、送信元の電子メールアドレスの情報のいずれか１または複数を含むとよい。また、付加情報としては、画像データ送信時には送信先の情報（相手先の情報）なども付加してもよい。
【０１０７】
付加情報を付加してファクシミリ送信する場合には、次のような合成処理を行えばよい。メイン制御部１８が付加情報及び付加位置を示す情報を読み出して、メイン制御部１８または画像処理部１６が画像データに変換し、画像処理部１６が、変換後の画像データ（付加情報の画像データ）を、変倍処理後の画像データである付加先の画像データに対し上記付加位置に合成すればよい。
デジタル複合機１では、付加情報の画像データを付加する位置は、次に説明するプレビュー表示を行いながら操作パネル３０によりユーザ設定可能とする。この合成後の画像データは、上述した出力階調補正処理や回転処理や圧縮処理などが施された後に、送信先に送信されることになる。
【０１０８】
＜ファクシミリ送信する画像データのプレビュー表示動作＞
デジタル複合機１は、ファクシミリ送信等で送信対象となった画像データについてプレビュー表示を可能にする構成を有する。このプレビュー表示動作は、送信前の画像データを事前に確認してから送信を実行するような事前設定やユーザ操作があったときなどに行われる。ファクシミリ送信対象となる画像データのプレビュー表示動作について、同画像データのファクシミリ送信動作に基づき説明する。プレビュー表示動作においてはメイン制御部１８がパネル制御部１１への指示も行う。
【０１０９】
このプレビュー表示動作では、画像処理部１６が、画質調整処理、及び空間フィルタ処理（及び変倍処理）まではファクシミリ送信時と同じ処理を行い、プレビュー画像生成部１６ａによるプレビュー画像生成処理を実行し、出力階調補正処理として画像データを表示するための出力γ補正処理を行うとよい。このプレビュー画像生成処理として、プレビュー画像生成部１６ａは、送信解像度に応じた画像拡大処理／画像縮小処理を施した画像データに対して、タッチパネル３２の画素数（表示解像度）に合わせた変換処理と、プレビュー表示時の縮小／拡大率に応じた変倍処理とを行うことでプレビュー画像のデータを生成する。
なお、このプレビュー表示動作では、空間フィルタ処理は実行されなくてもよく、また中間調生成処理は実行されない。ここで、データ送信モードとは、ファクシミリ送信モード、インターネットＦＡＸ送信モード、ファイル転送モードなど、外部（外部機器）に画像データを送信するためのモードであり、イメージ送信モードとも言う。
【０１１０】
プレビュー画像生成部１６ａで生成され出力階調補正処理されたＲ′Ｇ′Ｂ′データは、タッチパネル３２に渡される。パネル制御部１１は、このＲ′Ｇ′Ｂ′データに対応する画像をＧＵＩ画像に組み込んで表示させる制御を、タッチパネル３２に対して行い、タッチパネル３２でこのＧＵＩ画像を表示する。
【０１１１】
付加情報を付加して送信する場合のプレビュー画像について説明する。付加情報は、送信解像度に応じた変倍処理を行った後の画像データに付加して出力する。より具体的には、メイン制御部１８が付加情報及びその付加位置を読み出して画像処理部１６に渡す。続いて、プレビュー画像生成部１６ａがこの付加情報から付加情報を示す画像のＲ′Ｇ′Ｂ′データを生成し、送信解像度に応じた画像拡大処理／画像縮小処理後のＲ′Ｇ′Ｂ′データに対し上記付加位置に合成すればよい。そして、付加後のＲ′Ｇ′Ｂ′データの画素数をタッチパネル３２の画素数（表示解像度）に変換する処理を行うと共に、プレビュー表示倍率に基づいて画像拡大処理や画像縮小処理を行う。
【０１１２】
このようにして付加情報の画像が合成された画像データは、上述したプレビュー表示時の出力階調補正処理（画像データを表示するための出力γ補正処理）が施された後に、パネル制御部１１によりＧＵＩ画像に組み込まれてタッチパネル３２に表示されることになる。ユーザは、この付加情報の画像を含むプレビュー表示された画像を確認して、このままファクシミリ送信を実行するか中止するか、或いは付加情報を削除するか、付加位置の変更（または付加情報の変更）などを実行するかなどを判断して、それに応じた操作を行うことができる。
【０１１３】
＜インターネット経由による画像データの送信動作＞
次に、読み取った原稿の画像データを、インターネット経由による電子メールまたはインターネットＦＡＸで送信する場合の送信動作について説明する。このようなインターネット経由での送信で対象となる画像データについても、タッチパネル３２またはキー操作部３１でのユーザ操作により設定されて制御用メモリ１９に格納された送信先情報（この例では電子メールアドレス）に対して送信される。
【０１１４】
インターネット経由による送信に係るユーザ操作が操作パネル３０で受け付けられたとき、メイン制御部１８は、フォーマット変換部１４、画像記憶部１５、画像処理部１６、符号化／復号部１７、及びＬＡＮ制御部２１などに指示を行い、次に説明するようなインターネット経由による送信処理を実行させる。なお、メイン制御部１８は、例えば原稿をインターネット経由で送信する操作がなされたときには読取部１３への指示（原稿読み取り指示）も行うことになる。
【０１１５】
符号化／復号部１７は、印刷対象の画像データとそれに対応する原稿判定データ及び領域分離データとを画像記憶部１５から読み出して復号し、画像処理部１６に渡す。画像処理部１６は、復号後の画像データ（ＲＧＢ画像データ）に対して各種画像処理（以下、インターネット送信用画像処理という）を実行する。インターネット送信用画像処理としては、ファクシミリ送信用画像処理において説明した、画質調整処理、空間フィルタ処理、変倍処理、出力階調補正処理、及び中間調生成処理などが挙げられる。
【０１１６】
また、カラー画像での送信の際の画像処理もファクシミリ送信用画像処理と同様であり、画像処理部１６がインターネット送信用画像処理において、画質調整処理として、復号後の画像データを、マトリクス係数を用いてカラー伝送用のＬ＊ａ＊ｂ＊データに変換する処理を行い、その後の処理をこのＬ＊ａ＊ｂ＊データについて行うなどすればよい。
【０１１７】
符号化／復号部１７は、インターネット送信用画像処理後の画像データを符号化（圧縮）して、圧縮ファイルを得る。この圧縮は、原稿１ページ単位で行われる。次いで、フォーマット変換部１４が、これらの圧縮ファイルを１つのファイルに変換し、このファイルを、例えばＭＩＭＥ（Multipurpose Internet Mail Extension）に従ってマルチパートメールに添付する。ここまでの処理により、読み取られた画像データは電子メールのフォーマットに変換される。この電子メールは、ＬＡＮ制御部２１によりＬＡＮインターフェースを介してＳＭＴＰ（Simple Mail Transfer Protocol）等のメール転送プロトコルを用いて、インターネット経由で送信先に送信される。
【０１１８】
ここで、インターネットファクシミリ送信の場合、符号化／復号部１７が例えばＭＨのようなファクシミリ専用の圧縮形式で圧縮し、フォーマット変換部１４が得られたページ単位の圧縮ファイルを例えば１つのＴＩＦＦファイルに変換すればよい。また、電子メールに添付ファイルとして添付するだけの送信の場合（所謂scan to e-mailによる送信の場合）、符号化／復号部１７が例えばＪＰＥＧのような圧縮形式で圧縮し、フォーマット変換部１４が得られたページ単位の圧縮ファイルを例えば１つのＰＤＦファイルに変換すればよい。
【０１１９】
また、デジタル複合機１は、送信対象の画像データがインターネット経由で送信する画像データであっても、ファクシミリ送信画像データの場合と同様に、付加情報を付加して送信することが可能となっている。付加情報の付加処理としては、ファクシミリ送信時について説明した合成処理を実行すればよく、上述した出力階調補正処理、圧縮処理、フォーマット変換処理などが施された後に、電子メールとして送信先のアドレスに送信されることになる。
【０１２０】
＜インターネット経由で送信する画像データのプレビュー表示動作＞
ファクシミリ送信時のプレビュー表示について説明したのと同様に、デジタル複合機１は、インターネット経由で送信する対象となった画像データも、タッチパネル３２でプレビュー表示可能に構成することができる。
【０１２１】
このプレビュー表示動作では、ファクシミリ送信時のプレビュー表示について説明したのと同様に、画像処理部１６が、画質調整処理、及び空間フィルタ処理（及び変倍処理）まではインターネット送信用画像処理と同じ処理を行い、プレビュー画像生成部１６ａによるプレビュー画像生成処理を実行し、出力階調補正処理として画像データを表示するための出力γ補正処理を行うとよい。プレビュー画像生成部１６ａで生成され出力階調補正処理されたＲ′Ｇ′Ｂ′データは、タッチパネル３２に渡され、パネル制御部１１によりＧＵＩ画像に組み込まれて、タッチパネル３２に表示されることになる。また、付加情報を示す画像を付加したプレビュー表示についても、ファクシミリ送信時のプレビュー表示についての説明が援用できる。
【０１２２】
＜本発明に係るプレビュー表示の説明＞
本発明の実施形態であるデジタル複合機１は、ジョブプラグラム機能を備えている。ジョブプログラム機能は、デジタル複合機１の各種の設定を予め登録しておき、ユーザが使いたいときに所望のジョブプログラムを呼び出して使用することができる機能である。
そして、このジョブプログラム機能を用いて、ユーザよく使用する設定を登録しておくことにより、デジタル複合機１を使用するたびに複雑な機能設定や手間のかかる設定を行う必要がなく、簡単な操作で所定の設定による動作を実行させることができる。
【０１２３】
デジタル複合機１では、ジョブプログラムの登録モードにおいて、ユーザが実際にデジタル複合機１の操作入力部から設定した設定内容を一連のジョブプログラムとして登録させておくことができる。そして、登録されているジョブプログラムを後から呼び出すことにより、そのジョブプログラムに登録された設定内容を使用して画像データの印刷や送信処理を実行させることができる。本発明の実施形態では、ジョブプログラムを登録する際に、画像データのプレビュー画像とともに、画像データの印刷や送信などの出力に対して設定内容に基づく処理を施した仕上がり状態を示す情報、例えば、種々の付加情報やステープル、パンチ穴などの後処理の情報をタッチパネル３２にプレビュー表示させることができる。
【０１２４】
プレビュー表示においては、仕上がり状態を示す情報を付加したプレビュー画像とともに、設定内容を文字またはアイコンで表示することができる。そして、文字またはアイコンを選択する操作入力が行われたときに、選択された文字またはアイコンに該当する機能の設定画面に移行させることができる。
【０１２５】
上記のような機能を備えることによりユーザは、登録しようとするジョブプログラムの設定内容が容易に確認可能となることから利便性が向上し、ジョブプログラムの登録誤りを防止することができる。さらに、プレビュー表示により最終の仕上がり状態の詳細を確認することが可能となり、ユーザの利便性を向上させることができる。
また、仕上がり状態を示す情報を付加した画像データのプレビュー画像とともに、設定内容を文字またはアイコンで表示することにより、例えば、給紙カセット、濃度、原稿読み込み（両面、片面）、原稿種別（文字、写真、混在）等の、プレビュー画像によるプレビュー表示では表示不可能な情報を表示することができる。
【０１２６】
さらに、本実施形態のデジタル複合機１では、登録しようとするジョブプログラムから設定変更の必要性が生じた場合であっても、対応する設定画面に直接移行できるため、設定変更が容易となり利用者の操作が少なくなり誤設定の抑制が可能となる。
以下に本実施形態の特徴であるプレビュー表示をさらに具体的に説明していく。
【０１２７】
＜プレビュー表示の具体例＞
以下、ジョブプログラム登録時における仕上がり状態のプレビュー表示の流れについて、その具体例を挙げながら説明する。以下の画面表示例は、本発明の一実施形態である上記のデジタル複合機１におけるタッチパネル３２の表示例を示している。
【０１２８】
図７は、デジタル複合機の標準画面の例を示す図である。標準画面４０は、デジタル複合機１の電源がＯＮになったときやリセットされたときに、デジタル複合機１のタッチパネル３２に表示されるものである。この標準画面４０では、初期状態として上部のコピーキー４１が選択されていて、コピーを行うための各種の条件設定が可能となっている。
また、この標準画面４０では、コピー以外に、イメージ送信キー４２あるいはドキュメントファイリングキー４３を選択することにより、ＦＡＸなどのイメージ送信を行うためのイメージ送信モード、あるいはデータの保存や確認を行うためのドキュメントファイリングモードに移行することができる。
【０１２９】
コピーモードの標準画面で４０は、カラーモードを切り替えるためのモード切替キー５０，コピー濃度と画質を変更するためのコピー濃度キー５１、コピー倍率を変更するための倍率キー５２、原稿サイズを手動で入力するためも原稿キー５３、使用する用紙を変更するための用紙キー５４が表示されている。
さらに、この標準画面４０では、とじしろ，枠消去，１セット２コピーなど特別機能を使用するときのための特別機能キー４４，両面コピーを設定するための両面コピーキー４５、ソート，グループ，オフセット，ステープルソート，中とじステープル，パンチ等の所定の仕上げ機能を使用するための仕上げキー４６、画像データをファイリングするためのファイリングキー４７、画像データを自動的に一時保存させるための自動一時保存キー４８、各種のコピーの設定を登録し、その登録を呼び出して使用するためのジョブプログラムキー４９、及び画像データのプレビュー表示を指示するためのプレビュー確認キー５５などが表示されている。
【０１３０】
例えば、図７の標準画面において両面コピーキー４５を操作(タッチ)すると、図８に示すような両面コピーの設定画面６０を開くことができる。ここでユーザは、片面原稿からの自動片面コピーを設定するための「片面→片面」キー６１、片面原稿からの自動両面コピーを設定するための「片面→両面」キー６２、両面原稿からの自動両面コピーを設定するための「両面→両面」キー６３、両面原稿からの片面コピーを設定するための「両面→片面」キー６４などを操作することで、所望の両面コピーの設定を行うことができる。
なお、設定画面６０の右上にある「ＯＫ」キーを操作することにより、通常はひとつ前の画面である図７の標準画面に戻ることができるようになっており、後述する他の設定画面でも同様である。
【０１３１】
また、図９は、図７の標準画面４０において仕上げキー４６を操作(タッチ)したときに表示される仕上げの初期画面であるの一例を示す図である。
図９の仕上げの初期画面７０において、ユーザは、コピーをソートして出力するためのソートキー７１、ソートしたコピー出力にステープルを施す設定を行うためのステープルソートキー７２、同一のコピー毎に出力を指示するためのグループキー７３、両開きのコピー出力の真ん中にステープルを施した上で中とじを指示するための中とじステープルキー７４、パンチ穴をあけるための設定を行うパンチキー７５、及び紙折りを設定するための紙折りキー７６などを操作することにより、コピー出力に関して所望の仕上げを行うことが可能となっている。
【０１３２】
図９の仕上げの初期画面７０において、例えばステープルソートキー７２を選択することによって、図１０に示すステープル設定画面７０´が表示される。
図１０のステープル設定画面７０´では、ステープルソートキー７２が選択されていることをユーザに確認できるように、ステープルソートキー７２自体が反転表示される。そして、コピー原稿の読み込み方向が左側から読み込まれるとした場合に、コピー出力の左上に１か所ステープルを施すための指示を行うキー７２Ａ、コピー出力の左側に２か所ステープルを施すための指示を行うキー７２Ｂ、及びコピー出力の左下に１か所ステープルを施すための指示を行うキー７２Ｃが表示され、ユーザが任意にそれぞれのキー７２Ａ，７２Ｂ，７２Ｃを選択できるようになっている。
【０１３３】
図１１は、図７の標準画面でコピー濃度キー５１を選択したときの表示画面の一例を示す図である。コピー濃度設定画面８０では、印刷画像の濃度設定や、読み取る原稿の種別を設定することができる。
ここでは、コピー濃度を自動設定する自動設定キー８１、印刷画像の濃度を手動で設定するための濃度設定キー８２、原稿画像の種別を手動で設定するための原稿種別設定キー８３が表示される。
【０１３４】
濃度設定キー８２により、印刷画像の濃度を可変設定することができる。例えば、ここでは、濃度が複数段階（例えば９段階）で設定され、ユーザが手動で任意の濃度を選択して設定することができる。また、原稿の種別については、“文字”、“文字／印刷写真”、“文字／印画紙写真”、“印刷写真”、“印画紙写真”、“地図”、“淡い原稿”などが設定され、ユーザが手動で任意の種別を選択して設定することにより、その原稿画像の種別に応じた設定値を使用して印刷が実行される。
【０１３５】
図１２は、図７の標準画面で用紙キー５４を選択したときの表示画面の一例を示す図である。用紙設定画面９０では、印刷時に用いる給紙トレイ（給紙カセット）、及び給紙トレイに蓄積しておく用紙サイズや用紙の種別を設定することができる。
ここでは、本体給紙トレイの設定キー９１、手差しトレイの設定キー９２、及び大容量給紙トレイの設定キー９３が表示される。例えば本体給紙トレイの設定キー９１により、デジタル複合機に４つ備えられている給紙トレイ（給紙カセット）のそれぞれの用紙の大きさと種類を設定することができる。また、手差しトレイの設定キー９２により手差しトレイに置く用紙の種類を設定できる。さらに、大容量給紙トレイについても、用紙の大きさと種類を設定することができる。
【０１３６】
図１３は、図７の標準画面で倍率キー５２を選択したときの表示画面の一例を示す図である。倍率設定画面２００では、印刷時の画像データの拡大倍率もしくは縮小倍率を設定することができる。ここでは、１％単位で倍率を設定することができ、また、定型サイズの原稿から定型サイズの記録紙に変倍して印刷を行うための所定変倍のボタンが設定されている。
【０１３７】
例えば図１３の倍率設定画面２００では、Ａ３，Ａ４，Ｂ４，Ｂ５等の定形サイズの原稿による変倍を設定するための定形サイズ変倍キー２０１が設けられている。これにより、ユーザは、原稿のサイズと目的の印刷用紙サイズとの関係から、該当する変倍キーを選択するだけで変倍率を設定することができる。またズーム設定キー２０２によって、任意の大きさの変倍（拡大／縮小）設定を行うことができる。
【０１３８】
図１４は、図７の標準画面で原稿キー５３を選択したときの表示画面の一例を示す図である。原稿設定画面２１０では、原稿読み取り時の原稿のサイズを設定することができる。ここでは、ＡＢ／インチ選択キー２１２によって、定形原稿サイズのＡＢ系またはインチ系を選択することができ、これに応じて、原稿サイズ選択キー２１１により所望の原稿サイズを選択することができる。また、サイズ入力キー２１３により不定形サイズの原稿サイズの設定が可能である。また、登録サイズキー２１４により、登録されているサイズ一覧を表示させることができる。
【０１３９】
図１５は、図７の標準画面で特別機能キー４４を選択したときの表示画面の一例を示す図である。特別機能設定画面２２０では、使用頻度が少ない他の機能を設定することができる。この例では、特別機能のメニューを示す画面は２画面からなっていて、例えば、図７の標準画面４０で特別機能キー４４を選択すると、図１５に示すような特別機能設定用第１画面２２０が表示される。ここでは、特別機能のメニューとして、“とじしろ”、“枠消去”、“中とじ”、“ブック原稿”、“１セット２コピー”・・等、複数の選択可能な特別機能選択キー２２１が表示される。
【０１４０】
また、図１６に示すように、第２の特別機能設定画面２３０にも、“印字メニュー”、“画像編集”，“カラー調整”・・等の、複数の選択可能な特別機能選択キー２３１が表示される。図１５及び図１６の画面切換は、画面切換キー２２２を操作することで適宜実行できる。
【０１４１】
図１７は、図１６の特別機能設定画面において印字メニューキーを選択したときの表示画面の一例を示す図である。図１６の第２の特別機能設定画面２３０に表示された特別機能選択キー２３１から、ユーザが“印字メニュー”キーを選択すると、図１７に示すような印字メニュー画面２４０が表示される。
印字メニュー画面２４０においては、日付、スタンプ、ページ数や文字などを用紙に印字してコピーを行う設定が可能となっている。ここでは、用紙に日付を印字するための日付キー２４１、スタンプを印字するためのスタンプキー２４２、ページ数を印字するためのページ数キー２４３、及び文字を印字するための文字キー２４４が表示されている。またこれらの日付やスタンプ等の印字位置を設定するための印字位置設定キー２４５が表示される。ユーザは、これらを使用して、所望の印字種別とその印字位置を設定できる。
【０１４２】
図１８は、図１７の印字メニュー画面においてスタンプを選択したときの表示画面の一例を示す図である。図１７の印字メニュー画面２４０で、スタンプキー２４２をユーザが選択すると、図１８に示すようなスタンプ設定画面２５０が表示される。
スタンプ設定画面２５０では、“極秘”、“回覧”、“至急”、“回収”・・等のスタンプとして画像情報に付加する印字情報を選択する印字情報選択キー２５１と、選択した印字情報の印刷カラーを設定するカラー設定キー２５２と、選択した印字情報の印字の大きさを設定するサイズ設定キー２５３と、印字情報を前ページに印刷するかもしくは先頭のみに印刷するかを設定する印字ページ設定キー２５４が表示される。ユーザは、これらのキーを使用して、所望の印字情報と、そのカラー、大きさ、印字ページ等を設定することができる。
【０１４３】
図１９は、図１７の印字メニュー画面において日付を選択したときの表示画面の一例を示す図である。図１７の印字メニュー画面２４０で、日付キー２４１をユーザが選択すると、図１９に示すような日付設定画面２６０が表示される。
日付設定画面２６０では、年月日の表示形式（表示順序）を設定する表示形式設定キー２６１と、年月日の間の区切りの表示方式を設定する区切り設定キー２６２と、日付情報の印刷カラーを設定するカラー設定キー２６３と、日付情報の印字の大きさを設定するサイズ設定キー２６４と、日付情報を前ページに印刷するかもしくは先頭のみに印刷するかを設定する印字ページ設定キー２６５が表示される。ユーザは、これらのキーを使用して、所望の形式の日付情報と、そのカラー、大きさ、印字ページ等を設定することができる。
【０１４４】
図２０は、図１７の印字メニュー画面においてページ数を選択したときの表示画面の一例を示す図である。図１７の印字メニュー画面２４０で、ページ数キー２４３をユーザが選択すると、図２０に示すようなページ数設定画面２７０が表示される。
ページ数設定画面２７０では、ページの表示形式を設定する表示形式設定キー２７１と、ページ情報の印刷カラーを設定するカラー設定キー２７２と、設定されているページの総ページ数の設定状況及び開始ページ数を表示する設定表示部２７３と、印字するページ番号を指定するためのページ番号設定キー２７４とが表示されている。ここでは、ページ番号“１”から印字されることが示されている。
【０１４５】
上記の例のように、コピー出力の仕上げ状態に関する処理内容を設定したユーザは、タッチパネル３２を使用し、図７の標準画面４０に表示されたプレビュー確認キー５５を操作することによって、画像データのプレビューを表示させることができる。
このときにプレビュー表示される画像データは、読取部１３によって読み取られ、画像記憶部１５に記憶された原稿画像の画像データである。また、この他、ファクシミリやインターネットＦＡＸ等により外部機器から受信し、画像記憶部１５に記憶した画像データをプレビューの対象とすることもできる。あるいはメモリ等の記録媒体から入力されたものであってもよい。そしてこれらの画像データを記録部１２で画像形成したり、ＨＤＤ等の画像記憶部１５にファイリングしたり、あるいはファクシミリやインターネットＦＡＸ、もしくはインターネットメール等によって外部機器に送信するときに、その対象となっている画像データのプレビュー表示を行わせることができる。
【０１４６】
このときのプレビュー表示は、例えば、ユーザが読取部１３に原稿を読み取らせた画像データに対して、ユーザがタッチパネル３２を用いて設定した種々の設定内容に基づいて処理される画像データをその都度プレビュー表示可能とするものであるが、このプレビュー表示はジョブプログラムの登録時においても可能となっている。
【０１４７】
次に、本発明に係る実施形態の特徴であるジョブプログラムの登録時におけるプレビュー表示について具体例を説明する。
図２１は、図７の標準画面においてジョブプログラムキー４９を選択したときの表示画面の一例を示す図である。図７の標準画面４０で、ジョブプラグラムキー４９をユーザが選択すると、図２１に示すようなジョブプラグラムメニュー画面２８０が表示される。
ジョブプラグラム機能は、上述のように、画像処理装置（ここではデジタル複合機１）の各種の設定を予め登録しておき、使いたいときに呼び出して使用することができる機能である。ジョブプログラムメニュー画面２８０では、ジョブプログラムの登録を行うための登録キー２８１と、登録されているジョブプログラムを呼び出すための呼び出しキー２８２と、登録されているジョブプログラムを削除するための削除キー２８３とが表示されている。
【０１４８】
図２２は、図２１のジョブプログラムメニュー画面において登録キーを選択したときの表示画面の一例を示す図である。図２１のジョブプログラムメニュー画面２８０で、登録キー２８１をユーザが選択すると、図２２に示すようなジョブプラグラム登録画面２９０が表示される。
ジョブプログラム登録画面２９０では、ユーザ名設定キー２９１、ファイル名設定キー２９２、保存先設定キー２９３が表示され、ユーザは、これらにより「ユーザ名」、「ファイル名」、「保存先」の設定が可能となっている。ジョブプラグラムを登録する際には、デフォルト値で設定が行われるが、これらのキーを使用することにより、ユーザの要望に応じた名称や保存先等を設定することができる。
【０１４９】
また、ジョブプログラムにも親展設定が可能であり、親展設定キー２９４と、パスワード設定キー２９５を使用することで、パスワード認証により他の利用者の使用を禁止する親展処理を設定することができる。この場合には、ユーザは、親展設定キー２９４を選択して親展機能をＯＮにした上で、パスワード設定キー２９５によりパスワードを入力することで、パスワードを使用しない他の利用者によるジョブプログラムの使用を禁止させることができる。
【０１５０】
つまり、親展機能が設定されているジョブプログラムについては、ユーザの識別情報の１つであるパスワードを入力しないと表示されることがなく、後述するように、これにより登録されているジョブプログラムを一覧のリストにより表示する際に、パスワードを入力したユーザごとにジョブプログラムを表示させることができる。
【０１５１】
図２２に示すジョブプログラム登録画面２９０において、ユーザがファイル名等の入力を行った後に、ジョブプログラム登録開始キー２９６を選択することにより、図７の標準画面４０に移行し、ジョブプログラムの入力待ちとなる。
具体的には、ユーザがジョブプログラム登録画面２９０でジョブプログラム登録開始キー２９６を選択した後から、ジョブプログラム登録終了キー２９７が選択されるまでの全ての操作をジョブプログラムとして記憶することで、複雑な設定を行った場合でも、１つのジョブプログラムとして登録することができる。また、ジョブプログラム登録開始キー２９６を選択した後で、ジョブプログラム登録開始キー２９７が選択されるまでにキャンセルキー３１ｃが押下されると、ジョブプログラムの登録作業はキャンセルされる。
【０１５２】
例えば、ジョブプログラム登録画面２９０で、ユーザがファイル名等を入力してジョブプログラム登録開始キー２９６を押すと、図７の標準画面４０に移行する。そして、この標準画面４０から、例えば上述したような両面コピー設定や、ソートやステープルなどの仕上げ設定、コピー濃度や倍率、用紙設定などを適宜実行した後、再びジョブプログラム登録画面２９０を呼び出してジョブプログラム登録開始キー２９６を選択することで、それまでの操作による設定内容がジョブプログラムとして登録される。
この登録処理は、メイン制御部１８によって制御され、登録すべきジョブプログラムは、画像記憶部１５もしくは他の内部メモリに記憶保持される。
また、ジョブプログラム登録画面２９０のプレビュー表示キー２９８を選択することにより、画像データのプレビュー画像とともに、画像データの出力に対してそれまでに設定した内容に基づく処理を施した仕上がり状態を示す情報がタッチパネル３２に表示されるようになっている。
【０１５３】
図２３は、既に登録されているジョブプログラムをメモリから呼び出して設定を行うためのジョブプログラム呼び出し画面の一例を示す図である。
図２１のジョブプログラムメニュー画面２８０で、呼び出しキー２８２をユーザが選択すると、図２３に示すようなジョブプラグラム呼び出し画面４１０が表示される。
ジョブプログラム呼び出し画面４１０では、登録されているジョブプログラムがリストにされて一覧で表示され、それぞれのジョブプログラムについてファイル名４１１、ユーザ名４１２、日付（登録日）４１３が表示される。また、登録されたジョブプログラム数が多い場合には、画面右側にジョブプログラムの画面数４１４が表示される。ここでは、６ページ分のジョブプログラムが存在し、現在１ページ目の画面が表示されていることが示されている。また、矢印キー４１５によりページ間の移動が可能となっている。
【０１５４】
図２４は、ジョブプログラム登録作業時に、図２２のジョブプログラム登録画面においてプレビュー表示キーを選択したとき、あるいは、図７の標準画面においてプレビュー確認キーを選択したときの表示画面の一例を示す図である。
この例では、ジョブプログラム登録作業時に、図２２のジョブプログラム登録画面２９０でプレビュー表示キー２９８をユーザが選択するか、あるいは、図７の標準画面４０でプレビュー確認キー５５を選択すると、図２４に示すようなプレビュー確認画面４２０が表示されたものとしている。
【０１５５】
プレビュー確認画面で４２０では、所定のジョブプログラムを登録するために、図２２のジョブプログラム登録画面２９０でジョブプログラム登録開始キー２９６を選択してから、それ以降の設定操作の結果として、得られる印刷物の仕上がり状態をプレビュー表示にて表示させる。ここではプレビュー画像４２１には、画像データのプレビュー画像４２２が表示され、これとともに、ステープル設定情報４２３と、パンチ設定情報４２４とが表示されている。
【０１５６】
このプレビュー画像４２１により、ユーザは、それまでの各種設定を実行したときの結果として、頂点位置にステープル処理が施され、２穴のパンチ処理が用紙の横（長辺側）に施されることを認識することができる。
そして、このプレビュー画像４２１は、例えば、ユーザが読取部１３に原稿をセットし、図７の標準画面４０でジョブプログラムキー４９を選択し、画面２１のジョブプログラムメニュー画面２８０で登録キー２８１を選択し、図２２のジョブプログラム登録画面２９０で所定の入力を行った後、ジョブプログラム登録開始キー２９６を選択し、次に、図７の標準画面４０に戻って仕上げキー４６を選択し、図９の仕上げの初期画面７０でステープルソートキー７２を選択し、ステープル設定画面７０´でコピー出力の左上に１か所ステープルを施すための指示を行うキー７２Ａを選択し、さらに、図９の仕上げの初期画面７０に戻ってパンチキー７５を選択し、図示しないパンチ設定画面で２穴のパンチ処理を選択し、そして、図７の標準画面４０に戻ってプレビュー確認キー５５を選択した場合に表示される。
【０１５７】
なお、このプレビュー画像４２１の画像データ４２２は、画像の１頁毎に表示され、ユーザは、頁切換キー４２５を適宜操作することによって、任意の頁のプレビュー画像を表示させることができる。また、現在表示されている画像データの頁は、頁表示４２６によって総数１０頁のうちの１頁目であることが確認できる。
【０１５８】
さらにプレビュー確認画面４２０には、設定確認キー４２７、拡大／縮小キー４２８、表示の回転キー４２９などが表示されていて、ユーザはこれらを適宜操作することによって、プレビュー画像４２１の設定を確認したり、プレビュー画像４２１を拡大もしくは縮小、あるいは回転させて確認したりすることができる。
【０１５９】
また、このプレビュー確認画面４２０には、図２２に示すジョブプログラム登録画面２９０に移行するためのジョブプログラム登録キー４３０が表示されており、ユーザはこのジョブプログラム登録キー４３０を選択することによってジョブプログラム登録画面２９０を呼び出し、ジョブプログラム登録画面２９０でジョブプログラム登録終了キー２９７を選択することによって、新しいジョブプログラムを登録することができる。
【０１６０】
図２５は、ジョブプログラム登録作業時に、図２２のジョブプログラム登録画面においてプレビュー表示キーを選択したとき、あるいは、図７の標準画面においてプレビュー確認キーを選択したときの表示画面の他の例を示す図である。
この例では、ジョブプログラム登録作業時に、図２２のジョブプログラム登録画面２９０でプレビュー表示キー２９８をユーザが選択するか、あるいは、図７の標準画面４０でプレビュー確認キー５５を選択すると、図２５に示すようなプレビュー確認画面４２０が表示されたものとしている。
この場合、プレビュー画像４２１には、画像データのプレビュー画像４２２が表示され、これとともに、パンチ設定情報４２４が表示されている。ここでは、図２４の例と異なり、ユーザは、２穴パンチ処理の位置が用紙の上側（短辺側）となっていることを認識することができる。またプレビュー画像４２１の表示の仕方から、両面印刷が設定されていることを認識できる。
【０１６１】
このプレビュー画像４２１により、ユーザは、それまでの各種設定を実行したときに、両面印刷が実行されるとともに、パンチ処理がプレビュー画像４２１に示される位置に施されることを認識することができる。また、この場合にも、プレビュー確認画面４２０には、図２２に示すジョブプログラム登録画面２９０に移行するためのジョブプログラム登録キー４３０が表示され、適宜表示の切換が可能となっている。
【０１６２】
図２６は、ジョブプログラム登録作業時に、図２２のジョブプログラム登録画面においてプレビュー表示キーを選択したとき、あるいは、図７の標準画面においてプレビュー確認キーを選択したときの表示画面の更に他の例を示す図である。
この例では、ジョブプログラム登録作業時に、図２２のジョブプログラム登録画面２９０でプレビュー表示キー２９８をユーザが選択するか、あるいは、図７の標準画面４０でプレビュー確認キー５５を選択すると、図２６に示すようなプレビュー確認画面４２０が表示されたものとしている。
この場合、プレビュー画像４２１には、中綴じが施されることを示す中綴じ設定情報４３１とともに、画像データ４２２が表示されている。これによりユーザは、それまでに行った操作により各種設定を実行したときに、中綴じ処理が施されることを認識することができる。また、この場合にも、プレビュー確認画面４２０には、図２２に示すジョブプログラム登録画面２９０に移行するためのジョブプログラム登録キー４３０が表示され、適宜表示の切換が可能となっている。
【０１６３】
しかしながら、例えば、給紙カセット（給紙トレイ）、印刷濃度、原稿読み込み（両面、片面）、原稿種別（文字、写真、混在）等、プレビュー画像４２１だけでは表示できない情報も存在する。また、中綴じ印刷が設定されているときに、記録紙には必ず両面印刷が行われるなど、仕様面で決定されていて利用者には十分理解することができない条件が存在する。このため、以下の他の実施形態に示すように、ジョブプログラム登録時の設定内容をプレビューする際に、プレビュー画像４２１に加えて、文字やアイコンにより設定内容を表示するようにしてもよい。
【０１６４】
図２７は、ジョブプログラム登録作業時に、図２２のジョブプログラム登録画面においてプレビュー表示キーを選択したとき、あるいは、図７の標準画面においてプレビュー確認キーを選択したときの表示画面の更に他の例を示す図で、図２４のプレビュー表示に対応した設定内容における他の表示例を示すものである。
この例では、プレビュー確認画面４２０に対して、プレビュー画像４２１だけでなく、画面の余白部を使用して設定内容を示す文字表示を行っている。
【０１６５】
ジョブプログラム登録作業時に、図２２のジョブプログラム登録画面２９０でプレビュー表示キー２９８をユーザが選択するか、あるいは、図７の標準画面４０でプレビュー確認キー５５を選択すると、図２７に示すようなプレビュー確認画面４２０が表示されたものとしている。
ここではプレビュー画像４２１には、画像データ４２２が表示され、これとともに、ステープル設定情報４２３と、パンチ設定情報４２４とが表示されている。
そしてさらに、文字による設定内容情報４３２として、“カラー”、“片面印刷”、“２穴パンチ”、“頂点ステープル”が表示される。ユーザは、これらの設定内容情報４３２により種々の設定内容を確実に認識することができるが、この例では、設定内容情報４３２に示される設定内容は、全てプレビュー画像４２１によっても確認することができるものである。
【０１６６】
図２８は、ジョブプログラム登録作業時に、図２２のジョブプログラム登録画面においてプレビュー表示キーを選択したとき、あるいは、図７の標準画面においてプレビュー確認キーを選択したときの表示画面の更に他の例を示す図で、図２５のプレビュー表示に対応した設定内容における他の表示例を示すものである。
ジョブプログラム登録作業時に、図２２のジョブプログラム登録画面２９０でプレビュー表示キー２９８をユーザが選択するか、あるいは、図７の標準画面４０でプレビュー確認キー５５を選択すると、図２８に示すようなプレビュー確認画面４２０が表示されたものとしている。
ここではプレビュー画像４２１には、画像データ４２２が表示され、これとともにパンチ設定情報４２４が表示されている。また、図２４の例と異なり、ユーザは、２穴パンチ処理の位置が用紙の上側（短辺側）となっていることを認識することができる。またプレビュー画像４２１の表示の仕方から、両面印刷が設定されていることを認識できる。
【０１６７】
そして本例においても、プレビュー確認画面４２０に対して、プレビュー画像４２１だけでなく、画面の余白部を使用した設定内容を示す文字表示を行う。ここでは、文字による設定内容情報４３２として、“片面読み取り”、“文字・写真混在原稿”、“２穴パンチ”が表示される。これらの設定内容情報４３２により種々の設定内容を確実に認識することができる。この例では、設定内容情報４３２により、ユーザは、プレビュー画像４２１のみでは認識できない「片面読み取り」、及び「文字・写真混在原稿」が設定されていることを確実に認識することができる。
【０１６８】
図２９は、ジョブプログラム登録作業時に、図２２のジョブプログラム登録画面においてプレビュー表示キーを選択したとき、あるいは、図７の標準画面においてプレビュー確認キーを選択したときの表示画面の更に他の例を示す図で、図２６のプレビュー表示に対応した設定内容のときの他の表示例を示すものである。
ジョブプログラム登録作業時に、図２２のジョブプログラム登録画面２９０でプレビュー表示キー２９８をユーザが選択するか、あるいは、図７の標準画面４０でプレビュー確認キー５５を選択すると、図２９に示すようなプレビュー確認画面４２０が表示される。ここではプレビュー画像４２１には、画像データ４２２が表示され、これとともに中綴じ設定情報４３１が表示されている。
【０１６９】
そして本例においても、プレビュー確認画面４２０に対して、プレビュー画像４２１だけでなく、画面の余白部を使用した設定内容を示す文字表示を行う。ここでは、文字による設定内容情報４３２として、“両面読み取り”、“８１％縮小”、“中綴じステープル（両面）”が表示される。これらの設定内容情報４３２により種々の設定内容を確実に認識することができる。この例では、設定内容情報４３２により、ユーザは、プレビュー画像４２１のみでは認識できない「両面読み取り」、「８１％縮小」、「中綴じステープル」が設定されていることを確実に認識することができる。
更に、「８１％縮小」の場合であっても、読み取り原稿と、印刷用紙との組み合わせが複数存在するので、例えば「Ｂ４→Ａ４」を表示したり、「中綴じステープル」が「両面印刷」されることを文字により表示することで、ユーザに配慮した利便性の高いユーザインターフェースとすることができる。
【０１７０】
上記の例では、設定内容情報４３２として文字による情報表示を行っているが、文字の他、アイコンを使用して設定内容情報４３２を表示するようにしてもよい。この場合、画像データやその出力時に施す処理の内容に応じて、予め所定のアイコンを用意し、デジタル複合機１のメモリに保存しておき、プレビュー確認画面４２０を表示する際に、プレビュー画像４２１とともに、ジョブプログラムの設定内容に応じたアイコンを表示させるようにする。またこのときの設定内容情報４３２としては、文字とアイコンを併用したものであってもよい。
【０１７１】
また、このときにプレビュー確認画面４２０において、文字またはアイコンにより表示される設定内容情報４３２のなかから、特定の文字またはアイコンを選択するユーザ操作が行われたとときに、選択された文字またはアイコンに対応する機能の設定画面に移行し、ユーザにより設定の変更を可能とすることができる。
例えば、図２７のプレビュー確認画面４２０において、文字による設定内容情報４３２のなかからユーザが“片面印刷”を選択する操作を行ったものとする。この場合、両面印刷を設定できる例えば図８の両面コピーの設定画面６０に移行させるようにする。これにより、ユーザは、設定内容情報４３２の“片面印刷”を両面印刷に変更する設定を簡単に行うことができるようになる。
【０１７２】
なお、上記の例はコピーモードにおけるジョブプログラムの表示機能について説明したが、イメージ送信モードによるデータ送信の際、あるいは記憶装置から読み出した画像データを印刷する際等においても同様のジョブプログラムの使用が可能である。
すなわち、本発明に係る実施形態のデジタル複合機１では、コピー、プリント、イメージ送信などの動作においてジョブプログラム機能を利用することができ、ジョブプログラムを登録する際に、画像データの出力（印刷、イメージ送信）に対してジョブプログムの設定内容に基づく処理を施した仕上がり状態を、実際のデータ出力の前に表示させて確認することができる。
【図面の簡単な説明】
【０１７３】
【図１】本発明の画像処理装置を適用可能な装置の一例を示す図で、インナーフィニッシャーを有するデジタル複合機の構成を示す図である。
【図２】デジタル複合機の後処理装置の一例を示す図である。
【図３】デジタル複合機の後処理装置の他の例を示す図である。
【図４】本発明の一実施形態に係る画像処理装置の一例としてのデジタル複合機を用いて構築される画像処理システムの構成例を示す模式図である。
【図５】図４のデジタル複合機の構成例を示す概略ブロック図である。
【図６】図５のデジタル複合機におけるタッチパネル及びキー操作部の一例を示す外観図である。
【図７】デジタル複合機の標準画面の例を示す図である。
【図８】標準画面において両面コピーキーを操作したときの両面コピーの設定画面の一例を示す図である。
【図９】図７の標準画面において仕上げキーを操作したときに表示される仕上げの初期画面であるの一例を示す図である。
【図１０】図９の仕上げの初期画面において、ステープルソートキーが選択されたときのステープル設定画面の一例を示す図である。
【図１１】図７の標準画面でコピー濃度キーを選択したときの表示画面の一例を示す図である。
【図１２】図７の標準画面で用紙キーを選択したときの表示画面の一例を示す図である。
【図１３】図７の標準画面で倍率キーを選択したときの表示画面の一例を示す図である。
【図１４】図７の標準画面で原稿キーを選択したときの表示画面の一例を示す図である。
【図１５】図７の標準画面で特別機能キーを選択したときの表示画面の一例を示す図である。
【図１６】図７の標準画面で特別機能キーを選択したときの表示画面の他の例を示す図である。
【図１７】図１６の特別機能設定画面において印刷メニューキーを選択したときの表示画面の一例を示す図である。
【図１８】図１７の印字メニュー画面においてスタンプを選択したときの表示画面の一例を示す図である。
【図１９】図１７の印字メニュー画面において日付を選択したときの表示画面の一例を示す図である。
【図２０】図１７の印字メニュー画面においてページ数を選択したときの表示画面の一例を示す図である。
【図２１】図７の標準画面においてジョブプログラムキーを選択したときの表示画面の一例を示す図である。
【図２２】図２１のジョブプログラムメニュー画面において登録キーを選択したときの表示画面の一例を示す図である。
【図２３】登録されているジョブプログラムをメモリから呼び出して設定を行うためのジョブプログラム呼び出し画面の一例を示す図である。
【図２４】ジョブプログラム登録作業時に、図２２のジョブプログラム登録画面においてプレビュー表示キーを選択したとき、あるいは、図７の標準画面においてプレビュー確認キーを選択したときの表示画面の一例を示す図である。
【図２５】ジョブプログラム登録作業時に、図２２のジョブプログラム登録画面においてプレビュー表示キーを選択したとき、あるいは、図７の標準画面においてプレビュー確認キーを選択したときの表示画面の他の例を示す図である。
【図２６】ジョブプログラム登録作業時に、図２２のジョブプログラム登録画面においてプレビュー表示キーを選択したとき、あるいは、図７の標準画面においてプレビュー確認キーを選択したときの表示画面の更に他の例を示す図である。
【図２７】ジョブプログラム登録作業時に、図２２のジョブプログラム登録画面においてプレビュー表示キーを選択したとき、あるいは、図７の標準画面においてプレビュー確認キーを選択したときの表示画面の更に他の例を示す図である。
【図２８】ジョブプログラム登録作業時に、図２２のジョブプログラム登録画面においてプレビュー表示キーを選択したとき、あるいは、図７の標準画面においてプレビュー確認キーを選択したときの表示画面の更に他の例を示す図である。
【図２９】ジョブプログラム登録作業時に、図２２のジョブプログラム登録画面においてプレビュー表示キーを選択したとき、あるいは、図７の標準画面においてプレビュー確認キーを選択したときの表示画面の他の例を示す図である。
【符号の説明】
【０１７４】
１…デジタル複合機、２…外部コンピュータ、３…外部コンピュータ、４…インターネットＦＡＸ装置、５…ファクシミリ装置、７…用紙収容部、１０…タッチパネル、１１…パネル制御部、１２…記録部、１３…読取部、１４…フォーマット変換部、１５…画像記憶部、１６…画像処理部、１６ａ…プレビュー画像生成部、１７…復号部、１８…メイン制御部、１９…制御用メモリ、２０…キー操作部、２１…ＬＡＮ制御部、２２…制御用バッファ、２３…ＮＣＵ、２４…モデム、２５…ＵＳＢ  Ｉ／Ｆ、３０…操作パネル、３１…キー操作部、３１ａ…テンキー、３１ｂ…クリアキー、３１ｃ…キャンセルキー、３１ｄ…スタートキー、３１ｅ，３１ｆ，３１ｇ…機能切替キー、３１ｈ…システム設定キー、３２…タッチパネル、４０…標準画面、４１…コピーキー、４２…イメージ送信キー、４３…ドキュメントファイリングキー、４４…特別機能キー、４５…両面コピーキー、４６…仕上げキー、４７…ファイリングキー、４８…自動一時保存キー、４９…ジョブプラグラムキー、５０…モード切替キー、５１…コピー濃度キー、５２…倍率キー、５３…原稿キー、５４…用紙キー、５５…プレビュー確認キー、６１…「片面→片面」キー、６２…「片面→両面」キー、６３…「両面→両面」キー、６４…「両面→片面」キー、７１…ソートキー、７２…ステープルソートキー、７３…グループキー、７４…ステープルキー、７５…パンチキー、７６…紙折りキー、８０…コピー濃度設定画面、８１…自動設定キー、８２…濃度設定キー、８３…原稿種別設定キー、９０…用紙設定画面、９１…本体給紙トレイの設定キー、９２…手差しトレイの設定キー、９３…大容量給紙トレイの設定キー、１０１Ａ，１０１Ｂ，１０１Ｃ，１０１Ｄ…感光体ドラム、１０２Ａ，１０２Ｂ，１０２Ｃ，１０２Ｄ…現像ユニット、１０３…帯電ローラ、１０４…一次転写ローラ、１０５…クリーニングユニット、１０６…画像形成部、１０７…用紙収容部、１０８…用紙搬送部、１１０…露光ユニット、１１１…中間転写ベルト、１１２Ａ，１１２Ｂ，１１２Ｃ，１１２Ｄ…画像形成ステーション、１１３…クリーニングユニット、１１３Ａ…加熱ローラ、１１３Ｂ…加圧ローラ、１１４…二次転写ローラ、１１６Ａ，１１６Ｂ，１１６Ｃ，１１６Ｄ…給紙カセット、１１６Ｆ…大容量給紙カセット、１１７…手差しトレイ、１２１Ａ，１２１Ｂ…ピックアップローラ、１２２Ａ，１２２Ｂ…給紙ローラ、１３０…画像形成位置、１３１…用紙搬送路、１３２…レジストローラ、１３３…定着ユニット、１３４…排紙ローラ、１３５…用紙搬送路、１３６…用紙搬送路、１３７…用紙搬送路、１３８…用紙搬送路、１６１，１６２，１６３…搬送ローラ、１７１…入口ローラ、１７２…ステープラ、１７３…整合処理部、１７４…排紙ローラ、１７５…排紙トレイ、１７６…用紙後端検知センサ、１７８…パンチピン、２００…倍率設定画面、２０１…定形サイズ変倍キー、２０２…ズーム設定キー、２０３…モードメモリ設定一覧画面、２１０…原稿設定画面、２１１…原稿サイズ選択キー、２１２…インチ選択キー、２１３…サイズ入力キー、２１４…登録サイズキー、２２０…特別機能設定画面、２２１…特別機能選択キー、２２２…���面切換キー、２３０…特別機能設定画面、２３１…特別機能選択キー、２４０…印字メニュー画面、２４１…日付キー、２４２…スタンプキー、２４３…ページ数キー、２４４…文字キー、２４５…印字位置設定キー、２５０…スタンプ設定画面、２５１…印字情報選択キー、２５２…カラー設定キー、２５３…サイズ設定キー、２５４…印字ページ設定キー、２６０…日付設定画面、２６１…表示形式設定キー、２６２…区切り設定キー、２６３…カラー設定キー、２６４…サイズ設定キー、２６５…印字ページ設定キー、２７０…ページ数設定画面、２７１…表示形式設定キー、２７２…カラー設定キー、２７３…設定表示部、２７４…ページ番号設定キー、２８０…ジョブプログラムメニュー画面、２８１…登録キー、２８２…呼び出しキー、２８３…削除キー、２９０…ジョブプログラム登録画面、２９１…ユーザ名設定キー、２９２…ファイル名設定キー、２９３…保存先設定キー、２９４…親展設定キー、２９５…パスワード設定キー、２９６…ジョブプログラム登録開始キー、２９７…ジョブプログラム登録終了キー、２９８…プレビュー表示キー、３００…後処理装置、３０１…後処理装置、３１１…入口ローラ、３１２…排紙ローラ、３１３…排紙ローラ、３１４…ステープルトレイ排出ローラ、３１５…コロ、３２１，３２２…分岐爪、３３１…ノンステープル搬送経路、３３２…トレイ搬送経路、３３３…ステープル搬送経路、３４１…排紙トレイ、３４２…割り込みトレイ、３５１…排紙ガイド板、３６１…ステープルトレイ、３６２…用紙後端基準フェンス、３６３…ステープラ、４００，５００…給紙装置、４１０…ジョブプログラム呼び出し画面、４１１…ファイル名、４１２…ユーザ名、４１４…画面数、４１５…矢印キー、４２０…プレビュー確認画面、４２１…プレビュー画像、４２２…画像データ、４２３…ステープル設定情報、４２４…パンチ設定情報、４２５…頁切換キー、４２６…頁表示、４２７…設定確認キー、４２８…縮小キー、４２９…回転キー、４３０…ジョブプログラム登録キー、４３１…中綴じ設定情報、４３２…設定内容情報、４４０…サムネイル画面、５００…給紙装置。
【図１】
2010118763.tif 000003
【図２】
2010118763.tif 000004
【図３】
2010118763.tif 000005
【図４】
2010118763.tif 000006
【図５】
2010118763.tif 000007
【図６】
2010118763.tif 000008
【図７】
2010118763.tif 000009
【図８】
2010118763.tif 000010
【図９】
2010118763.tif 000011
【図１０】
2010118763.tif 000012
【図１１】
2010118763.tif 000013
【図１２】
2010118763.tif 000014
【図１３】
2010118763.tif 000015
【図１４】
2010118763.tif 000016
【図１５】
2010118763.tif 000017
【図１６】
2010118763.tif 000018
【図１７】
2010118763.tif 000019
【図１８】
2010118763.tif 000020
【図１９】
2010118763.tif 000021
【図２０】
2010118763.tif 000022
【図２１】
2010118763.tif 000023
【図２２】
2010118763.tif 000024
【図２３】
2010118763.tif 000025
【図２４】
2010118763.tif 000026
【図２５】
2010118763.tif 000027
【図２６】
2010118763.tif 000028
【図２７】
2010118763.tif 000029
【図２８】
2010118763.tif 000030
【図２９】
2010118763.tif 000031